(57)【特許請求の範囲】
【請求項１】
印刷データに対応してインクを吐出するインクジェット式の記録ヘッドと、該記録ヘッドを、インクを吐出してインクジェット記録に適した状態に清掃するクリーニング手段と、を備えるインクジェットプリンタにおいて、
ユーザ識別情報を含むユーザ情報を入力するためのユーザ情報入力手段と、
前記ユーザ識別情報に対応付けて、前記インクの吐出によるインクの消費量が異なる複数の清掃モードの各モードごとの許可／不許可を設定する手段と、
清掃指示をユーザが入力するための清掃指示手段と、
該清掃指示手段に清掃指示の入力があると、前記ユーザ情報入力手段により入力されたユーザ識別情報に対応付けて前記許可が設定されている清掃モードで前記クリーニング手段を用いて前記記録ヘッドを清掃する制御手段と、
を備えることを特徴とするインクジェットプリンタ。
【請求項２】
前記記録ヘッドは併設された複数であって、インクジェットプリンタは更に、用紙に対する各記録ヘッドの記録位置を同一とするためのヘッド位置情報を入力する調整情報入力手段を備え、前記制御手段は、前記ユーザ情報入力手段により入力されたユーザ識別情報に対応付けてヘッド位置調整の許可が設定されていることを条件に、前記調整情報入力手段により入力されたヘッド位置情報を各記録ヘッドの記録位置を同一とするためのヘッド位置情報に設定する、請求項１に記載のインクジェットプリンタ。
【請求項３】
インクジェットプリンタは更に、用紙に対するインクジェット記録開始位置を定める印字開始位置情報を入力する調整情報入力手段を備え、前記制御手段は、前記ユーザ情報入力手段により入力されたユーザ識別情報に対応付けて印字開始位置調整の許可が設定されていることを条件に、前記調整情報入力手段により入力された印字開始位置情報をインクジェット記録開始位置に設定する、請求項１又は２に記載のインクジェットプリンタ。
【請求項４】
インクジェットプリンタは更に、用紙先端に対するインクジェット記録開始位置を定める用紙送り量情報を入力する調整情報入力手段を備え、前記制御手段は、前記ユーザ情報入力手段により入力されたユーザ識別情報に対応付けて用紙送り量調整の許可が設定されていることを条件に、前記調整情報入力手段により入力された用紙送り量情報を用紙先端に対するインクジェット記録開始位置に設定する、請求項１乃至３のいずれか１つに記載のインクジェットプリンタ。
【請求項５】
インクジェットプリンタは更に、インクジェット記録の調整値を初期値に設定する指示を入力するための初期値に戻す指示手段を備え、前記制御手段は、前記ユーザ情報入力手段により入力されたユーザ識別情報に対応付けて初期値に戻すの許可が設定されていることを条件に、前記初期値に戻す指示手段により該指示があると前記調整の情報を初期値に設定する、請求項２乃至４のいずれか１つに記載のインクジェットプリンタ。
【請求項６】
インクジェットプリンタは更に、遠隔の端末と通信する通信手段を備え、前記制御手段は、前記通信手段を介して前記端末から清掃指示があると、前記端末より送信されたユーザ識別情報に対応付けて前記許可が設定されている清掃モードで、前記クリーニング手段を用いて前記記録ヘッドを清掃する、請求項１に記載のインクジェットプリンタ。
【請求項７】
インクジェットプリンタは更に、遠隔の端末と通信する通信手段を備え、前記制御手段は、前記通信手段を介して前記端末から前記調整の情報の送信があると、前記端末より送信されたユーザ識別情報が前記清掃モードを許可されたものであることを条件に、前記調整の情報を前記端末から受信したものに設定する、請求項２乃至５のいずれか１つに記載のインクジェットプリンタ。
【請求項８】
インクジェットプリンタは更に、ユーザ認証解除を設定する手段を備え、前記制御手段は、ユーザ認証解除が設定されているときには、前記ユーザ識別情報に対する前記設定を無効にする、請求項１乃至７のいずれか１つに記載のインクジェットプリンタ。
【請求項９】
インクジェットプリンタは更に、待機モードにおいてインクジェットプリンタの各部に動作電圧を出力し休止モードにおいて該出力を停止する電源回路を備え、前記制御手段は、休止モードにおいて待機モード復帰のためのユーザ操作があると、前記電源回路を休止モードから待機モードに切換えて、前回クリーニングからの経過時間が設定値以上であると前記クリーニング手段を用いて前記記録ヘッドを清掃する、請求項１に記載のインクジェットプリンタ。
【請求項１０】
インクジェットプリンタは更に、前記記録ヘッドのインク吐出面を拭うワイピング手段を備え、前記制御手段は、前回クリーニングからの経過時間が設定値未満であったときには、前記ワイピング手段を用いて前記記録ヘッドのインク吐出面を拭う、請求項９に記載のインクジェットプリンタ。
【請求項１１】
請求項１乃至１０のいずれか１つに記載のインクジェットプリンタと、原稿の画像を読み取って該画像を表す画像データを生成する原稿スキャナと、該画像データを前記インクジェットプリンタによる画像記録に適する画像データに変換して前記インクジェットプリンタに出力する画像データ処理手段と、を備える画像処理装置。
【発明の詳細な説明】
【技術分野】
【０００１】
本発明は、印刷データに対応してインクを吐出するインクジェット式の記録ヘッドと、該記録ヘッドを、インクジェット記録に適した状態に清掃するクリーニング手段と、を備えるインクジェットプリンタ、ならびに、それを用いる画像処理装置に関する。本発明は例えば、プリンタ，複写機およびファクシミリ装置に使用できる。
【背景技術】
【０００２】
【特許文献１】特開２００１−２０５８１６号公報
【特許文献２】特開２００４−    １４９２号公報
【特許文献３】特開２０００−２００２４０号公報
【特許文献４】特開２００３−２６３２８７号公報
【特許文献５】特開平  １０−２０２９１７号公報。
【０００３】
従来、インクジェットプリンタならびにインクジェット方式の複写機には、ヘッドクリーニング等のメンテナンス機能や、ヘッド位置調整等の調整機能が搭載され、ユーザが利用可能となっている。特許文献１には、記録ヘッドのノズル面（インク吐出面）のインクや汚れ，ごみを拭い取るワイピング機構が開示されている。特許文献２には、ワイピング機構に加えて、インク吐出面を覆うキャップも開示されている。特許文献３には、ユーザ認証表およびアクセス制御表に従って、正しい使用権を持つユーザのみを使用可能とする多機能周辺機器のユーザ認証システムが記載されている（００２９，００４５，００４６）。特許文献４は、ユーザごとにプリンタ使用条件を設定するインクジェットプリンタを記載している。特許文献５は、記録ヘッドを気密に閉じてヘッドからインクを吸引するキャッピング手段およびポンプを備え、しかもノズルからインクを吐出するフラッシングを実行するインクジェットプリンタを開示している。電源投入当初に、休止時間が規定値を超えている場合には、自動クリーニングを実行する（００３５）。また、クリーニング指令スイッチＣＳが操作されると、記録ヘッドをクリーナユニット１４の位置に移動させてノズルプレートをワイピングし、そして記録ヘッドをキャッピング位置に移動させてキャッピングして負圧吸引によりノズルからインクを吐出する（００４４，００４５）。
【発明の開示】
【発明が解決しようとする課題】
【０００４】
インクジェットプリンタにおいてメンテナンス機能や調整機能はユーザメンテナンス項目として必要な機能であるが、ヘッドメンテナンスはインクを大量に使用する場合があり、また調整機能は間違った調整をすると印字品質にも係わってくるため操作は機械の管理者のみが行うことが望ましい。従来のインクジェット機は個人向け又は少人数向けのため機械の管理についてはユーザ全員が共有している場合が多いため全員が管理者のような位置付けにあり問題はなかった。しかし複数ユーザによって共用されるような機器になってくると管理者以外の人がこれらを操作できるようになってしまい、機械の維持管理に問題が発生している。
【０００５】
本発明は、記録ヘッドの不用意なクリーニングによるインク消費を抑止することを第１の目的とし、加えて、不用意な記録位置調整による印刷品質の劣化を抑止することを第２の目的とし、記録ヘッドを定常的に清浄に維持することを第３の目的とする。
【課題を解決するための手段】
【０００６】
（１）印刷データに対応してインクを吐出するインクジェット式の記録ヘッド(203)と、該記録ヘッドを、インクを吐出してインクジェット記録に適した状態に清掃するクリーニング手段(402,200)と、を備えるインクジェットプリンタにおいて、
ユーザ識別情報（名,ID)を含むユーザ情報を入力するためのユーザ情報入力手段(10)と、
前記ユーザ識別情報に対応付けて、前記インクの吐出によるインクの消費量が異なる複数の清掃モード(クリーニング,リフレッシング)の各モードごとの許可／不許可を設定する手段(図13の12r）と、
清掃指示をユーザが入力するための清掃指示手段(図15の12a上のクリーニング,リフレッシングキー)と、
該清掃指示手段に清掃指示の入力があると、前記ユーザ情報入力手段により入力されたユーザ識別情報に対応付けて前記許可が設定されている清掃モードで前記クリーニング手段を用いて前記記録ヘッドを清掃する制御手段(402,200)と、
を備えることを特徴とするインクジェットプリンタ。
【０００７】
なお、理解を容易にするために括弧内には、図面に示し後述する実施例の対応又は相当要素の符号もしくは対応又は相当事項を、例示として参考までに付記した。以下も同様である。
【発明の効果】
【０００８】
ヘッドクリーニングをユーザ制限することができ、機械は多くの人に使ってもらいつつ、クリーニング動作は管理者の管理下におくことができ、無用なクリーニングによりインクを消費することを防ぐことが可能となる。
【０００９】
リフレッシングのような、クリーニング機能よりより強力なメンテナンス機能は、大量のインクを消費するためこのような機能に対しユーザ制限をかけることにより無用なインクの消費を防止することが可能となる。
【発明を実施するための最良の形態】
【００１０】
（２）前記記録ヘッドは併設された複数(203K〜203Y)であって、インクジェットプリンタは更に、用紙に対する各記録ヘッドの記録位置を同一とするためのヘッド位置情報(Dk〜Dy)を入力する調整情報入力手段(図１５の12a)を備え、前記制御手段は、前記ユーザ情報入力手段により入力されたユーザ識別情報に対応付けてヘッド位置調整の許可が設定されていることを条件に、前記調整情報入力手段により入力されたヘッド位置情報を各記録ヘッドの記録位置を同一とするためのヘッド位置情報に設定する、上記（１）に記載のインクジェットプリンタ。これによれば、ヘッド位置調整のような画質に係わる調整にユーザ制限をかけることにより、管理者以外の人による間違った調整を防止することが可能となる。
【００１１】
（３）インクジェットプリンタは更に、用紙に対するインクジェット記録開始位置を定める印字開始位置情報を入力する調整情報入力手段を備え、前記制御手段は、前記ユーザ情報入力手段により入力されたユーザ識別情報に対応付けて印字開始位置調整の許可が設定されていることを条件に、前記調整情報入力手段により入力された印字開始位置情報をインクジェット記録開始位置に設定する、上記（１）又は（２）に記載のインクジェットプリンタ。これによれば、印字開始位置調整のような画質に係わる調整にユーザ制限をかけることにより、管理者以外の人による間違った調整を防止することが可能となる。
【００１２】
（４）インクジェットプリンタは更に、用紙先端に対するインクジェット記録開始位置を定める用紙送り量情報を入力する調整情報入力手段を備え、前記制御手段は、前記ユーザ情報入力手段により入力されたユーザ識別情報に対応付けて用紙送り量調整の許可が設定されていることを条件に、前記調整情報入力手段により入力された用紙送り量情報を用紙先端に対するインクジェット記録開始位置に設定する、上記（１）乃至（３）のいずれか１つに記載のインクジェットプリンタ。これによれば、用紙送り量調整のような画質に係わる調整にユーザ制限をかけることにより、管理者以外の人による間違った調整を防止することが可能となる。
【００１３】
（５）インクジェットプリンタは更に、インクジェット記録の調整値を初期値に設定する指示を入力するための初期値に戻す指示手段を備え、前記制御手段は、前記ユーザ情報入力手段により入力されたユーザ識別情報に対応付けて初期値に戻すの許可が設定されていることを条件に、前記初期値に戻す指示手段により該指示があると前記調整の情報を初期値に設定する、上記（２）乃至（４）のいずれか１つに記載のインクジェットプリンタ。これによれば、各調整値を初期値に戻すような画質に係わる調整にユーザ制限をかけることにより、管理者以外の人による間違った調整を防止することが可能となる。
【００１４】
（６）インクジェットプリンタは更に、遠隔の端末と通信する通信手段(410〜413)を備え、前記制御手段は、前記通信手段を介して前記端末(PC)から清掃指示があると、前記端末より送信されたユーザ識別情報に対応付けて前記許可が設定されている清掃モードで、前記クリーニング手段を用いて前記記録ヘッドを清掃する、上記（１）に記載のインクジェットプリンタ。これによれば、遠隔の端末を用いて記録ヘッドを清掃できる。機械を見ずにメンテナンスを実行することによりインクの大量消費などを防止したり、機械から離れた不特定多数のユーザからの操作を防止し、機械の状態を良く管理しているものだけに清掃させることができるようになり機械を良好な状態に保つことが可能となる。
【００１５】
（７）インクジェットプリンタは更に、遠隔の端末と通信する通信手段を備え、前記制御手段は、前記通信手段を介して前記端末から前記調整の情報の送信があると、前記端末より送信されたユーザ識別情報が前記清掃モードを許可されたものであることを条件に、前記調整の情報を前記端末から受信したものに設定する、上記（２）乃至（５）のいずれか１つに記載のインクジェットプリンタ。これによれば、遠隔の端末を用いてインクジェットプリンタの調整ができる。機械を見ずに調整を実行することにより間違った調整を防止したり、機械から離れた不特定多数のユーザからの操作を防止し、機械の状態を良く管理しているものだけに調整させることができるようになり機械を良好な状態に保つことが可能となる。
【００１６】
（８）インクジェットプリンタは更に、ユーザ認証解除を設定する手段(利用者認証解除キー)を備え、前記制御手段は、ユーザ認証解除が設定されているときには、前記ユーザ識別情報に対する前記設定を無効にする、上記（１）乃至（７）のいずれか１つに記載のインクジェットプリンタ。これによれば、ユーザ制限を無効にすることが出来ることにより、ユーザ数が少ない場面ではユーザ認証するための煩雑さを避けることが可能となり効率的に利用することが可能となる。
【００１７】
（９）インクジェットプリンタは更に、待機モードにおいてインクジェットプリンタの各部に動作電圧(＋25V,＋5V)を出力し休止モードにおいて該出力を停止する電源回路(80)を備え、前記制御手段は、休止モードにおいて待機モード復帰のためのユーザ操作があると、前記電源回路を休止モードから待機モードに切換えて、前回クリーニングからの経過時間が設定値(Tr1)以上であると前記クリーニング手段を用いて前記記録ヘッドを清掃する、上記（１）に記載のインクジェットプリンタ。
【００１８】
（１０）インクジェットプリンタは更に、前記記録ヘッドのインク吐出面を拭うワイピング手段を備え、前記制御手段は、前回クリーニングからの経過時間が設定値(Tr1)未満であったときには、前記ワイピング手段を用いて前記記録ヘッドのインク吐出面を拭う、上記（９）に記載のインクジェットプリンタ。
【００１９】
（１１）上記（１）乃至（１０）のいずれか１つに記載のインクジェットプリンタと、原稿の画像を読み取って該画像を表す画像データを生成する原稿スキャナと、該画像データを前記インクジェットプリンタによる画像記録に適する画像データに変換して前記インクジェットプリンタに出力する画像データ処理手段と、を備える画像処理装置。
【００２０】
（１２）インクジェットプリンタは更に、待機モードにおいてインクジェットプリンタの各部に動作電圧(＋25V,＋5V)を出力し休止モードにおいて該出力を停止する電源回路(80)，前記記録ヘッドのインク吐出面を覆うためのキャップ、および、該キャップを、前記インク吐出面を覆う作用位置とインク吐出面から離れた退避位置に駆動するキャップ駆動手段、を備え、前記制御手段は、ユーザの操作がなく待機モードが移行時間Ｔｄ１継続すると、前記キャップ駆動手段を用いて前記キャップを作用位置に駆動して前記記録ヘッドのインク吐出面を覆い、そして前記電源回路を待機モードから休止モードに切換える、上記（１）に記載のインクジェットプリンタ。
【００２１】
（１３）インクジェットプリンタは更に、前記待機モードから休止モードへの移行時間Ｔｄ１をメモリに設定する手段(10)を含む、上記（１２）に記載のインクジェットプリンタ。
【００２２】
（１４）インクジェットプリンタは更に、前記記録ヘッドのインク吐出面を拭うワイピング手段を備え、前記制御手段は、前記キャップ駆動手段を用いて前記キャップを作用位置に駆動する前に、前記ワイピング手段を用いて前記インク吐出面を拭う、上記（１２）又は（１３）に記載のインクジェットプリンタ。
【００２３】
（１５）インクジェットプリンタは更に、待機モードにおいてインクジェットプリンタの各部に動作電圧(＋25V,＋5V)を出力し休止モードにおいて該出力を停止する電源回路(80)，前記記録ヘッドのインク吐出面を覆うためのキャップ、および、該キャップを、前記インク吐出面を覆う作用位置とインク吐出面から離れた退避位置に駆動するキャップ駆動手段、を備え、前記制御手段は、ユーザの操作がなく待機モードが移行時間Ｔｄ１継続すると、前記キャップ駆動手段を用いて前記キャップを作用位置に駆動して前記記録ヘッドのインク吐出面を覆い、そして前記電源回路を待機モードから休止モードに切換え、休止モードにおいて待機モード復帰のためのユーザ操作があると、前記電源回路を休止モードから待機モードに切換えて、前回クリーニングからの経過時間が設定値(Tr1)以上であると前記クリーニング手段を用いて前記記録ヘッドを清掃し、そして前記キャップ駆動手段を用いて前記キャップを退避位置に駆動する、上記（１）に記載のインクジェットプリンタ。
【００２４】
（１６）前記制御手段は、前記設定値(Tr1)を第１設定値(Tr1)とすると、前回クリーニングからの経過時間が、第１設定値(Tr1)より長い第２設定値(Tr2)未満かつ第１設定値(Tr1)以上のときには少ないインク吐出量で前記記録ヘッドを清掃し、第２設定値(Tr2)以上のときには多いインク吐出量で前記記録ヘッドを清掃する上記（１０）又は（１５）に記載のインクジェットプリンタ。
【００２５】
（１７）インクジェットプリンタは更に、前記記録ヘッドのインク吐出面を拭うワイピング手段を備え、前記制御手段は、前記クリーニング手段を用いて前記記録ヘッドを清掃すると、前記ワイピング手段を用いて前記記録ヘッドのインク吐出面を拭う、上記（１），（１０）又は（１６）に記載のインクジェットプリンタ。
【００２６】
（１８）インクジェットプリンタは更に、前記記録ヘッドのインク吐出面を拭うワイピング手段を備え、前記制御手段は、前回クリーニングからの経過時間が設定値(Tr1)未満であったときには、前記キャップ駆動手段を用いて前記キャップを退避位置に駆動し、そして前記ワイピング手段を用いて前記記録ヘッドのインク吐出面を拭う、上記（１５）に記載のインクジェットプリンタ。
【００２７】
本発明の他の目的および特徴は、図面を参照した以下の実施例の説明より明らかになろう。
【実施例１】
【００２８】
図１に、本発明の第１実施例のフルカラーデジタル複合機能複写機ＭＦ１の外観を示す。このフルカラー複写機ＭＦ１は、大略で、自動原稿送り装置（ＡＤＦ）１２０と、操作ボード１０と、カラースキャナ１００と、カラープリンタ２００の各ユニットで構成されている。なお、操作ボード１０と、ＡＤＦ１２０付きのカラースキャナ１００は、プリンタ２００から分離可能なユニットであり、カラースキャナ１００は、動力機器ドライバやセンサ入力およびコントローラを有する制御ボードを有して、エンジンコントローラ（ＣＰＵ３０１：図５）と直接または間接に通信を行いタイミング制御されて原稿画像の読取りを行う。
【００２９】
スキャナ１００およびプリンタ２００ならびに画像入出力装置（３０２：図５）を含むエンジン（３００：図５）を接続したコントローラボード（４００：図５）には、パソコンＰＣが接続したＬＡＮ(Local Area Network)が接続されており、ファクシミリコントロールユニット（ＦＣＵ  ４１７：図５）には、電話回線ＰＮ（ファクシミリ通信回線）に接続された交換器ＰＢＸが接続されている。
【００３０】
図２に、複合機能複写機ＭＦ１のスキャナ１００およびそれに装着されたＡＤＦ１２０の、原稿画像読取り機構を示す。このスキャナ１００のコンタクトガラス１０１上に置かれた原稿は、照明ランプ１０２により照明され、原稿の反射光（画像光）が第１ミラー１０３で副走査方向−ｙと平行に反射される。照明ランプ１０２および第１ミラー１０３は、図示しない、副走査方向−ｙに定速駆動される第１キャリッジに搭載されている。第１キャリッジと同方向にその１／２の速度で駆動される、図示しない第２キャリッジには、第２および第３ミラー１０４，１０５が搭載されており、第１ミラー１０３が反射した画像光は第２ミラー１０４で下方向（ｚ）に反射され、そして第３ミラー１０５で副走査方向ｙに反射されて、レンズ１０６により集束され、ＣＣＤ１０７に照射され、電気信号に変換される。すなわちＲＧＢ各色画像信号に変換される。
【００３１】
第１および第２キャリッジは、走行体モータ１０８を駆動源として、−ｙ方向に往（原稿走査），復（リタ−ン）駆動される。このようにスキャナ１００は、コンタクトガラス１０１上の原稿をランプ１０２およびミラー１０３で走査して原稿画像をＣＣＤ１０７に投影するフラットベッド読取りの原稿スキャナであるが、第１キャリッジをホームポジション（待機位置）ＨＰに停止して、シートスルー読取りを行うことも可能である。
【００３２】
シートスルー読取りを行うために、自動原稿供給装置(ＡＤＦ)１２０がスキャナ１００に装着されており、第１キャリッジがホームポジションＨＰで停止しているときの第１ミラー１０３の読取り視野位置に、シートスルー読取り窓であるガラス１３２があり、ＡＤＦ１２０の搬送ドラム（プラテン）１２５がガラス１３２に対向している。
【００３３】
ＡＤＦ１２０の原稿トレイ１２１に積載された原稿は、フィラーセンサ１３０で検出される。なお、原稿サイズは、原稿を所定姿勢に強制するサイド板の設定位置を検出するスイッチ群１３１のオン，オフに基づいて判定される。シートスルー読取りのときには、ＡＤＦ１２０の原稿トレイ１２１に積載された原稿の最上部の一枚が、ピックアップローラ１２２および送り込みローラ１２３，１２４でレジストローラ１２５に送り出され、レジストローラ１２５から窓ガラス１３２に送り出されて、このときホームポジションＨＰにある第１ミラー１０３で原稿上の画像が第２ミラー１０４に反射されてＣＣＤ１０７に投影され、ＣＣＤ１０７が投影画像を光電変換して画像信号を発生する。すなわちＲＧＢ各色画像信号を発生する。
【００３４】
この実施例では、ホームポジションＨＰが、画像読取り光学系のシートスルー読取り位置であり、また、フラットベッド読取りの第１キャリッジ駆動始点（＝リターン終点）である。フラットベッド読取りの場合、第１キャリッジをホームポジションＨＰから駆動して、ＨＰからＡ＋Ｂの距離進んだ位置（目盛り板ｓｃｐの右端：読取り開始点）から原稿画像の読取りを開始する。すなわちＣＣＤ１０７が発生する画像信号を有効とする。ホームポジションＨＰと読取り開始点との間には、第１キャリッジを検出する基点センサ１０９、ならびに、基準白板ｒｗｐがある。基準白板ｒｗｐは、コンタクトガラス１０１の左端部の上面に密着している。基準白板ｒｗｐは、照明ランプ１０２の個々の発光強度のばらつき，また主走査方向ｘのばらつきや、ＣＣＤ１０７の画素毎の感度ムラ等が原因で、一様な濃度の原稿を読み取ったにもかかわらず、読取りデータがばらつく現象を補正（シェーディング補正）するために用意されている。また、画像信号の増幅ゲイン調整（ＡＧＣ）にも用いられる。
【００３５】
フラットベッド読取りのときには、ホームポジションＨＰから、第１キャリッジの副走査駆動および副走査位置の追跡を開始する。第１キャリッジの読取り視野に基準白板ｒｗｐがあるとき、ＣＣＤ１０７の画像信号（をデジタル変換した画像データ）が、画像信号処理回路（ＡＦＥ）１１１（図５）に読込まれる。第１キャリッジが基点センサ１０９を横切るとき第１キャリッジの起動が終わり走査速度が設定値に収束している。副走査位置が読取り始端（Ａ＋Ｂ：目盛り板ｓｃｐの右端の右側）に達したときに、画像信号有効信号（フレーム同期信号：ＦＧＡＴＥ）が有意レベルに切り換えられる。フラットベッド読取りでは、第１キャリッジを、コンタクトガラス１０１上の原稿の先端（右端）まで副走査駆動して、そこで折返してリターン駆動するとき、ホームポジションＨＰで一時停止するが、その直前に、基点センサ１０９が第１キャリッジを検出し、検出時点に副走査位置が基点位置データ（設定値）に初期化される。第１キャリッジはホームポジションＨＰで一時停止してから原稿サイズ検出位置（Ａ＋Ｂ＋Ｃ）に駆動され、そこで待機する。
【００３６】
ＡＤＦ１２０の基体１３５は、奥側（図２紙面の裏側）でスキャナ１００の基体にヒンジ結合（蝶番連結）しており、基体１３５の手前側（図２紙面の表側）の取っ手１３６を持ってＡＤＦ１２０の基体１３５引き上げることにより、図３に示すように、ＡＤＦ１２０を起こす（開く）ことができる。ＡＤＦ１２０の基体１３５の奥側には、ＡＤＦ１２０の開閉を検出する圧板スイッチ１１２がある。この実施例では、ＡＤＦ１２０が図１に示す平伏姿勢から、図３に示す起立姿勢に起こされる過程の、圧板（原稿押さえ板）１３７の下面がコンタクトガラス１０１の原稿載置面に対して３０度前後の設定角度を超えるときに、圧板スイッチ１１２は、圧板閉を表すオフから、圧板開を表すオンに切換わり、起立姿勢から平伏姿勢に倒される過程では、圧板１３７の下面がコンタクトガラス１０１の原稿載置面に対して該設定角度以下の角度になるときに、圧板スイッチ１１２は、圧板開を表すオンから、圧板閉を表すオフに切換わる。
【００３７】
このように圧板スイッチ１１２の開／閉検出の切換り角度を３０度前後の広い角度に設定しているのは、該設定角度より小角度になるときに、予め原稿サイズ検出位置（図２，図３）に位置決めした第１キャリッジ上の照明灯１０２を点灯してコンタクトガラス１０１上の原稿を照明し、原稿像をＣＣＤ１０７に投影して、ＣＣＤ１０７の画像信号に基づいて原稿とその背景との境界すなわち原稿側端（原稿の主走査方向ｘの幅）を検出するためである。ＡＤＦ１２０が略１０度以上傾斜しているときには、照明灯１０２の光はコンタクトガラス１０１上の原稿で反射してＣＣＤ１０７に至り、ＣＣＤ１０７によって明るく検出されるが、原稿を外れた光は、圧板１３７の下面で反射されるものの、該下面が傾いているのでほとんどＣＣＤ１０７の光学視野の外に向かうので、原稿の外側はＣＣＤ１０７によって暗く検出される。このような明暗の差にしたがって、後述する原稿サイズ検出４８（図６）が、コンタクトガラス１０１上の原稿のサイズを検出する。
【００３８】
この実施例では、次のモードの原稿画像読取りを行うことができる：
１．手置原稿読取り
ユーザがＡＤＦ１２０を起こしてコンタクトガラス１０１上に原稿を載せ、ＡＤＦ１２０を倒して圧板１３７で原稿を押さえて、上記のフラットベッド方式の原稿走査（フラットベッド読取り）を行う。第１キャリッジが基準白板ｒｗｐ直下を通過するとき、基準白板ｒｗｐの読取り画像データに基づいてシェーディング補正データを生成して、メモリのシェーディング補正データを今回得たものに更新する。フラットベッド読取りが終わるとユーザがＡＤＦ１２０を起こして原稿を取り出す。ユーザが、原稿をコンタクトガラス１０１上にセットしてＡＤＦ１２０を閉じるとき、原稿サイズ検出４８（図６）が、コンタクトガラス１０１上の原稿のサイズを検出する。
２．シートスルー読取り
ＡＤＦ１２０で原稿トレイ１２１上の原稿を移送して上述のシートスルー読取りを行う。一枚の原稿をトレイ１２１から送り出すとき、第１キャリッジを基準白板ｒｗｐの位置に駆動しそしてホームポジションＨＰに戻し、第１キャリッジが基準白板ｒｗｐ直下にあるとき、基準白板ｒｗｐの読取り画像データに基づいてシェーディング補正データを生成して、メモリのシェーディング補正データを今回得たものに更新する。原稿トレイ１２１上の原稿の各一枚についてこの読取りを行う。
【００３９】
図２を再度参照してカラープリンタ２００の機構を説明する。プリンタ２００は、フルカラーインクジェットプリンタである。インクジェットプリンタ２００の印字ユニット２１０には、主走査方向ｘ（図２紙面の表から裏に向かう方向）に往復移動するキャリッジ２０２に、カラーインクジェットヘッド２０３Ｋ，２０３Ｃ，２０３Ｍおよび２０３Ｙ（図４）が搭載されている。図４には、図２に示すキャリッジ２０２の右側面を拡大して示す。各ヘッドには、副走査方向ｙ（図２紙面上で右から左への方向）に、多数のインク噴射ノズルが高密度配列されている。各ヘッドには、各１個が各インク噴射ノズルから選択的にインクを噴射する多数の駆動エレメントがある。キャリッジ２０２の主走査方向ｘの１走査で副走査方向ｙの所定幅に、各色記録ヘッドの各色インク噴射によりカラー画像が形成され、そこで副走査方向ｙに用紙を所定幅を送ってからまた主走査方向ｘの１走査が行われる。この繰り返しにより、用紙カセット２１６又は２１７（図２）から繰り出されてレジストローラ２０８に送り込まれて、用紙搬送ライン２０９に沿って送られる用紙にカラー画像が形成される。画像記録が終わった用紙は用紙排紙トレイ２１３に送り出される。２１４はＫ，Ｃ，Ｍ，Ｙインクを入れたインクカートリッジであり、各インクカートリッジからインクが、ポンプ２１５で汲み上げられて各色記録ヘッドのインク槽２０４Ｋ，２０４Ｃ，２０４Ｍ，２０４Ｙ（図４）に補充される。
【００４０】
図４を参照する。キャリッジ２０２の、主走査方向ｘの主走査開始点であるホームポジション（図４上の２点鎖線で示す位置）の外側に、キャリッジ２０２の退避位置（図４上の実線で示す位置）が定められており、そこに、インク回収槽兼用のキャップ２０５が、上下移動可能に配置されている。キャリッジの下面に各色記録ヘッドの下端面（ノズルが開いた記録端面）が露出し、しかもキャリッジの下面と同一の平面上にある。キャップ２０５の上開口は、退避位置にあるキャリッジの下面から露出する記録端面に対抗する。上開口縁には、弾力性があるシール材があって、その表面がキャップ２０５の開口端面より少し上方に突出しており、キャップ２０５が、その下方にある電動昇降機構によって作用位置に上げられているときは、シール材の上面がキャリッジの下面の、ヘッド露出領域の外側の面に密着する。このように、電動昇降機構によってキャップ２０５を上駆動してそのシール材をキャリッジ２０２の下面に密着させることを、「キャッピング」という。そして、電動昇降機構によってキャップ２０５を下駆動してそのシール材がキャリッジ２０２の下面から離れてキャリッジの移動を妨げない退避位置に位置決めすることを、「アンキャッピング」という。
【００４１】
キャリッジ２０２の退避位置（図４上の実線位置）からホームポジション（２点鎖線位置）の間には、電動ワイピング機構２０６がある。このワイピング機構２０６には、上ブレードロータ，下ブレードロータおよびこれらのロータを互いに同方向に回転駆動する電気モータ駆動の減速機構がある。各ブレードロータは、回転軸に、記録ヘッドの副走査方向ｙのノズル配列長よりも長い、可撓性があって弾力性がある複数のブレードを固定したものである。キャリッジ２０２を退避位置からホームポジションに駆動するときには、上，下ブレードロータが図４上で反時計方向に回転するように、ロータが回転駆動され、これによりキャリッジ下面がブレードで拭われて、ノズル開口周りにインクがあるとこれを拭い取る。上ブレードロータのブレードに付いたインクは、下ブレードロータのブレードが拭い落とす。キャリッジ２０２をホームポジションから退避位置に駆動するときには、上，下ブレードロータが図４上で時計方向に回転するように、ロータが回転駆動され、キャリッジ下面が拭われる。キャリッジ２０２の移動方向に対して、その下面を拭うブレードの移動方向は逆方向である。
【００４２】
なお、ホームポジションにある各ヘッドから、搬送紙の側端までの距離Ｄｋ，Ｄｃ，Ｄｍ，Ｄｙは、設計上固定の値であるが、実際にはばらつきや誤差を生ずる。搬送紙の側端から主走査方向ｘに微小距離Ｄｘ分、紙中央方向に入り込んだ位置を、各ヘッドの、主走査方向の記録開始位置とするが、Ｄｋ，Ｄｃ，Ｄｍ，Ｄｙの設計値からの誤差により、ヘッド間で、ｘ方向の記録開始位置ずれを生ずる。したがって、Ｄｋ，Ｄｃ，Ｄｍ，Ｄｙ（正確にはそれにＤｘを加えた値）を、画像記録制御上の各ヘッドの記録開始タイミング値とし、これをオペレータ入力で調整できるようにしている。この調整を、主走査方向ｘの「ヘッド位置調整」という。同様に、各ヘッドは、副走査方向ｙで同一位置に設計されているが、実際にはばらつきや誤差を生ずる。副走査ｙ方向の基準位置から副主走査方向ｙに微小距離Ｄｙ分進んだ位置を、各ヘッドの、副走査方向の記録開始位置とするが、各ヘッドの基準位置からの誤差により、ヘッド間で、ｙ方向の記録開始位置ずれを生ずる。したがって、副走査方向の基準位置からの各ヘッドの距離にＤｙを加えた値を、画像記録制御上の各ヘッドの副走査方向の記録開始タイミング値とし、これをオペレータ入力で調整できるようにしている。この調整を、副走査方向ｙの「ヘッド位置調整」という。
【００４３】
図５に、図１の複合機能複写機ＭＦ１の画像処理システムの構成を示す。複合機能複写機ＭＦ１は、原稿画像読取りおよびカラー印刷を行うエンジン３００，コントローラボード４００および操作ボード１０を含む。エンジン３００は、画像読取りおよび印刷のプロセスを制御するＣＰＵ３０１，上述のカラースキャナ１００，上述のプリンタ２００、および、ＡＳＩＣ(Application Specific IC)で構成した画像入出力処理３０２を備えている。
【００４４】
スキャナ１００の読取りユニット１１０にはＣＰＵ，ＲＯＭおよびＲＡＭがあり、該ＣＰＵが該ＲＯＭに格納されたプログラムを該ＲＡＭに書き込んで実行する事で、スキャナ１００の全体の制御を行っている。また、プロセス制御用のＣＰＵ３０１と通信線を介して接続されおり、コマンド及びデータの送受信により指令された動作を行う。読取りユニット１１０内のＣＰＵは、フィラーセンサ（原稿検知センサ），基点センサ，圧板スイッチ，冷却ファン等の検知及びＯＮ／ＯＦＦの制御をする。読取りユニット１１０内において、スキャナモータドライバが、ＣＰＵからのＰＷＭ出力によりドライブされ励磁パルスシーケンスを発生し原稿走査駆動用のパルスモータを駆動する。
【００４５】
原稿画像は、ランプレギュレータによって通電されるハロゲンランプ１０２（図２）の光量出力により照明されて、原稿の反射光すなわち光信号は、複数ミラー１０３〜１０５及びレンズ１０６を通りＲ，ＧおよびＢ読取り用の３個のラインセンサを含むＣＣＤ１０７に結像される。３ラインＣＣＤ１０７は、各ＲＧＢの各画素のアナログの画像信号をデジタル処理回路（ＡＦＥ）１１１に出力する。ＡＦＥ１１１は、画像信号を増幅し画像データにデジタル変換しそしてシェーディング補正する画像信号処理手段である。
【００４６】
コントローラボード４００は、ＣＰＵ４０２と、ＡＳＩＣで構成された書画蓄積制御４０３と、ハードディスク装置（以下ではＨＤＤと表記）４０１と、ローカルメモリ（ＭＥＭ−Ｃ）４０６と、システムメモリ（ＭＥＭ−Ｐ）４０９と、ノースブリッジ（以下、ＮＢと記す）４０８と、サウスブリッジ（以下、ＳＢと記す）４１５と、ＮＩＣ４１０(Network Interface Card)と、ＵＳＢデバイス４１１と、ＩＥＥＥ１３９４デバイス４１２と、セントロニクスデバイス４１３他を含む。操作ボード１０は、コントローラボード４００の書画蓄積制御４０３に接続されている。ファクシミリコントロールユニット（ＦＣＵ）４１７も、書画蓄積制御４０３にＰＣＩバスで接続されている。
【００４７】
ＣＰＵ４０２は、ＮＩＣ４１０を介してＬＡＮに接続されたパソコンＰＣあるいはインターネットを介する他のパソコンＰＣと書画情報の送受信を行うことができる。また、ＵＳＢ４１１，ＩＥＥＥ１３９４  ４１２，セントロニクス４１３を用いてパソコン，プリンタ，デジタルカメラ等と通信することができる。
【００４８】
ＳＢ４１５と、ＮＩＣ４１０と、ＵＳＢデバイス４１１と、ＩＥＥＥ１３９４デバイス４１２と、セントロニクスデバイス４１３と、ＭＬＢ４１４は、ＮＢ４０８にＰＣＩバスで接続されている。このように、ＭＬＢ４１４は、エンジン３００にＰＣＩバスを介して接続する基板である。そして、ＭＬＢ４１４は、外部から入力された書画データをイメージデータ（画像データ）に変換し、変換された画像データをエンジン３００に出力する。
【００４９】
コントローラボード４００の書画蓄積制御４０３にローカルメモリ４０６、ＨＤＤ４０１などが接続されると共に、ＣＰＵ４０２と書画蓄積制御４０３とがＣＰＵチップセットのＮＢ４０８を介して接続されている。書画蓄積制御４０３とＮＢ４０８とは、ＡＧＰ(Accelerated Graphics Port)を介して接続されている。
【００５０】
ＣＰＵ４０２は、複合機能複写機ＭＦ１の全体制御を行うものである。ＮＢ４０８は、ＣＰＵ４０２、システムメモリ４０９、ＳＢ４１５および書画蓄積制御４０３を接続するためのブリッジである。システムメモリ４０９は、複合機能複写機ＭＦ１の描画用メモリなどとして用いるメモリである。ＳＢ４１５は、ＮＢ４０８とＰＣＩバス、周辺デバイスとを接続するためのブリッジであり、ＳＢ４１５には外付けＲＯＭおよびＳＤメモリカード（以下ではＳＤカード）の読み書きをするカードＩＦ４１８が接続されている。このカードＩＦ４１８には、ＳＤカード読み書き装置（カードリーダ）が接続されており、カードリーダに装着されるＳＤカードのデータを読み取ることができ、またＳＤカードにデータを書込むことができる。
【００５１】
ローカルメモリ４０６はコピー用画像バッファ、符号バッファとして用いるメモリである。ＨＤＤ４０１は、画像データの蓄積，文書データの蓄積，プログラムの蓄積，フォントデータの蓄積，フォームの蓄積，ＬＵＴ(Look Up Table)の蓄積などを行うためのメモリである。また、操作ボード１０は、ユーザからの入力操作を受け付けると共に、ユーザに向けた表示を行う操作部である。
【００５２】
図５には、スキャナ１００およびプリンタ２００と画像入出力処理３０２との間でやり取りする画像データの流れを示す。画像入出力処理３０２には、カラー原稿スキャナ１００が原稿画像を読み取って発生するＲ，Ｇ，Ｂ画像データのそれぞれに対して読取りガンマ補正，ＭＴＦ補正等を行うスキャナ画像処理３０３があり、また、Ｒ，Ｇ，Ｂ画像データをプリンタ２００の、Ｃ，Ｍ，Ｙ，Ｋ各色書込みの画像表現特性に合ったｃ，ｍ，ｙ，ｋ記録色データ（印刷データ）に変換するプリンタ画像処理３０４があり、更に、書画蓄積制御４０３に原稿読取り画像データＲＧＢを出力し、書画蓄積制御４０３が出力する画像データＲＧＢをプリンタ画像処理３０４に与える画像処理Ｉ／Ｆ(Interface circuit)３０５がある。
【００５３】
白黒コピーのときには、スキャナ画像処理３０３からＧ画象データが画像処理Ｉ／Ｆ３０５に出力され、画像処理Ｉ／Ｆ３０５がＧ画像データをプリンタ画像処理３０４に出力し、プリンタ画像処理３０４がＧ画像データをｋ記録色データに変換し、必要に応じて変倍，画像加工を、そしてプリンタガンマ変換および階調処理をして、プリンタ２００のＫ書込みユニット２１２に出力する。書込みユニット２１２は、画像処理３０４が出力するｋ記録色データによって、記録ヘッド２０４Ｋの各駆動エレメントに通電する電流を変調又はオン，オフする。
【００５４】
カラーコピーのときは、スキャナ画像処理３０３が出力するＲＧＢ画像データが、画像処理Ｉ／Ｆ３０５および画像蓄積制御４０３を介して、ローカルメモリ４０６又はＨＤＤ４０１に一時蓄積又はＨＤＤ４０１に登録され、そして読み出されて、コピーまたは印刷に用いられ、あるいは外部に送出される。
【００５５】
プリンタ２００による登録画像データ、又は、外部から受信した画像データの印刷のときには、画像蓄積制御４０３および画像処理Ｉ／Ｆ３０５を介して画像データがプリンタ画像処理３０４に与えられる。プリンタ画像処理３０４は、画像データをｃｍｙｋ記録色データに変換してから、必要に応じて変倍，画像加工を、そしてプリンタガンマ変換および階調処理をして、書込みユニット２１２に出力する。
【００５６】
読取りユニット１１０の圧板スイッチ１１２およびＡＤＦ１２０のフィラーセンサ１３０の各検出信号線，操作ボード１０の電源キースイッチ２１のキー操作検出信号線、ならびに、ファクシミリコントローラ４１７の受信検出信号線は、コントローラボード４００の状態変化検知回路ＡＣＤに接続されている。状態変化検知回路ＡＣＤには、主電源スイッチ７９（図１０）がオンの間、電源回路８０が休止モードであっても継続して出力される動作電圧＋５ＶＥが印加される。この＋５ＶＥが加わっている限り、検知回路ＡＣＤに接続された上記信号線の何れかに信号変化があると、これを表す変化検出信号をＣＰＵ４０２に与える。ＣＰＵ４０２はこの信号に応答して電源回路８０をスタンバイモードに切換える。
【００５７】
状態変化検知回路ＡＣＤには、休止モードでの動作電圧＋５ＶＥが加わったとき（主電源スイッチ７９がオフからオンに切換わったとき）にリセットパルスを発生する電源オンリセット回路および該リセットパルスでリセットされてその出力である電源投入モード信号ＰＯＤを低レベルＬ（“０”）とするラッチ（フリップフロップ；そのＱ出力が電源投入モード信号ＰＯＤ）がある。ＣＰＵ４０２が、休止モードからスタンバイモードに電源回路８０を切換えるときに、このラッチをセットしてその出力である電源投入モード信号ＰＯＤを高レベルＨ（“１”）に切換える（図１１の６ａ）。電源投入モード信号ＰＯＤの“０”は、主電源スイッチ７９のオフからオンへの切換りにより電源回路８０がスタンバイモードになっていることを意味し、電源投入モード信号ＰＯＤの“１”は、休止モードからスタンバイモードに切り換わっていることを意味する。この電源投入モード信号ＰＯＤは、原稿スキャナ１００に動作電圧が加わったとき原稿スキャナ１００によって、動作電圧の印加が主電源スイッチ７９のオンによるものか、あるいはＣＰＵ４０２による、休止モードからスタンバイモードへの切換えによるものかを判定するために参照される。
【００５８】
図６に、カラー原稿スキャナ１００のセンサーボードユニットＳＢＵおよびＡＦＥ１１１の画像信号処理機能の概要を示す。ＣＣＤ１０７は、Ｒ，Ｇ，Ｂ画像信号のそれぞれを偶数番画素列と奇数番画素列に分けて並行出力する。各色画像信号の偶数番画素列と奇数番画素列は、個別にバッファアンプで増幅して、ＡＦＥ１１１の画像出力補正１１３〜１１８のそれぞれに出力される。図６には、Ｒの画像信号の偶数番画素列をデジタルデータに変換する画像出力補正１１３の機能構成のみを示すが、他の画像出力補正１１４〜１１８の機能構成も画像出力補正１１３のものと同様である。以下では、画像出力補正１１３の機能を説明する。
【００５９】
ＣＣＤ１０７が出力する、Ｒ偶数番画素列のアナログ画像信号は、ＳＢＵ上のＲｅバッファアンプでドライブされてサンプリング回路３１にてサンプルホールドされ、リセットノイズ等の高周波成分が除去される。可変ゲインアンプ３２は、そのコントロール端子に印加される制御電圧Ｖgにてゲインを制御出来るアンプであり、オフセット設定回路３３はそのコントロール端子に印加される制御電圧Ｖofにて、プラス，マイナスのオフセットレベルを設ける機能を有する。Ｖg，Ｖofは、ＣＰＵ４２がＤ／Ａ変換回路３７を操作して決定する電圧である。例えばＤ／Ａ変換回路３７が８ビットであればＣＰＵ４２は０〜２５５のいずれかの値をＤ／Ａ変換回路３７に対して設定し、Ｄ／Ａ変換回路３７は対応した電圧を出力する。
【００６０】
Ａ／Ｄ変換回路３４は、アナログ画像信号を上限基準値Ｖrefd／Ｖrefw、下限基準値Ｖrefbに基づいて所定の分解能（例えば８bit）でデジタル画像信号すなわち画像データに変換する。この画像データは、オフセットレベル検出回路３９およびオフセットレベル減算回路３５に入力される。ここで上限基準値Ｖrefw／Ｖrefdおよび下限基準値Ｖrefbは、ＣＰＵ４２がＤ／Ａ変換回路３７を操作して決定する。Ｄ／Ａ変換回路３７の上限基準値出力ＶrefwとＶrefdは、セレクタ３８に入力されており、セレクタ３８は基準白板ｒｗｐを読取る際にはＶrefwを、原稿を読取る際にはＶrefdを、上限基準値としてＡ／Ｄ変換回路３４に与える。
【００６１】
ＣＣＤ１０７には、オプティカルブラック（ＯＰＢ）画素といわれる物理的に遮光したセンサ部があり、続いて有効画素といわれる入射光量に比例した電圧を出力するセンサ部がある。このＯＰＢ画素と有効画素のデータは１主走査期間毎に繰り返して出力される。
【００６２】
オフセットレベル検出回路３９は、ｘopb信号がアサートされている期間に、ＣＣＤ１０７のＯＰＢ画素に対応したＡ／Ｄ変換回路３４の出力を取り込んで保存する機能を有する。オフセットレベルは複数のＯＰＢ画素を取り込んだ平均値であり、ＣＣＤ１０７の出力系統毎に保存される。オフセットレベル減算回路３５は、入力されたＡ／Ｄ変換回路３４の出力値からオフセットレベル検出回路３９に保存されたオフセットレベルを減算する回路である。白ピーク検出回路４１は、原稿読取り時の有効画素区間を表すｘlgate信号および基準白板読取り時の読込期間を表わすＳMPL信号がアサートされている期間内で入力された画像データのピーク値を保存する回路である。ＣＰＵ４２は、オフセットレベル検出回路３９および白ピーク検出回路４１にアクセスすることにより、最新のオフセットレベル値およびピーク値を得ることが出来る。
【００６３】
シェーディングデータ保存４０は、基準白板ｒｗｐを読み取った値を各画素毎に平均化等の処理を行いながら順次保存する回路であり、シェーディング補正回路３６は、画像を読み取った画像データを、シェーディングデータ保存４０に保存されている補正データを用いてシェーディング補正した画像データに変換する回路である。ＣＰＵ４２は、このシェーディングデータ保存４０にある、画像データのライン間平均化のために画像データを一時蓄積するラインメモリに、基準白板読取りの画像データを格納してから、特定画素（基準白板ｒｗｐの主走査方向ｘのある位置）の画像データを読み取ることが出来る。
【００６４】
Ａ／Ｄ変換回路３４の出力は、Ａ／Ｄ変換する際に所定の遅れを生ずる。ｘopbは、ＯＰＢ画素の読取りアナログ信号に対応するＡ／Ｄ変換出力のタイミングで所定期間アサートされるようにタイミング設計されている、オフセットレベルデータ範囲指示信号である。通常、ＯＰＢ画素の読取りアナログ信号の後半部分を使用した方がノイズが少ないことが経験上わかっており、本実施例でもその様に設定している。ｘlgateは、有効画素部の原稿を読取る領域でアサートされる信号であり、白ピーク検出時の読込範囲指定に使用する。
【００６５】
ＷTGTはＣＣＤ１０７が基準白板ｒｗｐを読取るタイミングにアサートされる信号であり、セレクタ切り替え信号として使用する。セレクタ３８は、ＷTGTがアサートされている場合はＶrefwを、ネゲートされている場合はＶrefdを選択して、Ａ／Ｄ変換回路３４に印加する。ＳＭＰＬはＣＣＤ１０７が基準白板ｒｗｐを読取るタイミング（ＷTGT）中の一部の期間アサートされ、シェーディングデータＦＩＦＯに基準白板データを取り込むタイミングを指示するものである。
【００６６】
−ゲイン等の調整ＡＧＣ−
「ゲイン等の調整ＡＧＣ」では、ＲＯＭ４３ａから読出してＲＡＭ４３ｂに書込んだ動作プログラムに従ってＣＰＵ４２はまず、第１キャリッジが基準白板ｒｗｐの位置に移動すると、Ａ／Ｄ変換回路３４に上側基準電圧Ｖrefwを与えて、基準白板読取りのピークデータＤwpを読取る。次に、ピークデータＤwpが所定範囲Ｄp±Ｂに入っているかチェックする。Ｄpは調整目標値であり、Ａ／Ｄ変換回路３４に入力されるアナログ画像信号のピーク値が上側基準電圧Ｖrefwを超えない値（マージンを考えると例えば、上側基準電圧Ｖrefwの約８割）である。これはＡ／Ｄ変換回路の性能を充分引き出して、精度の高いデジタル信号を取り出すためである。また、Ｂは調整公差である。
【００６７】
ピークデータＤwpが所定範囲Ｄｐ±Ｂに入っている場合には、このとき設定中の、制御電圧Ｖｇ，下基準電圧Ｖrefb，ならびに上基準電圧Ｖrefw，ＶrefdをＲＡＭ４３ｂに保存する。ピークデータＤwpが所定範囲Ｄｐ±Ｂに入っていない場合は、入るように、ゲインを決定する制御電圧Ｖg（Ｄ／Ａ出力）を出力するためのＤ／Ａ変換回路３７の設定値Ｓvg（Ｄ／Ａ入力）を計算する。計算結果のＳvgがＤ／Ａ変換回路３７の設定可能範囲（ＳvgL〜ＳvgH）内か判断する。Ｄ／Ａ変換回路３７が例えば、８ｂｉｔのＤ／Ａ変換回路であれば設定可能範囲は、０〜２５５といった具合である。設定可能範囲内の値であれば、実際に設定して再度ピークデータＤwpを読み取る。ＳvgがＤ／Ａ変換回路３７に設定可能範囲外の場合は、設定可能範囲内で計算値に近い値ＳvgLまたはＳvgHを設定して再度ピークデータＤwpを読取り、同様にチェックする。
【００６８】
ピークデータＤwpが所定範囲Ｄp±Ｂに入っていない場合、ＣＰＵ４２は基準白板ｒｗｐを読取る際のＡ／Ｄ変換回路３４の上側基準電圧Ｖrefwを計算する。Ｄ／Ａ変換回路３７の設定値（入力データ）と基準電圧Ｖrefw（出力電圧）の関係が、Ｖrefw＝ｆ（Ｓrefw）で示され、ｆ（Ｓrefw）の逆関数がＳrefw＝ｇ（Ｖrefw）である場合、変更するＶrefw用のＤ／Ａ変換回路３７の入力データＳrefwは、
Ｓrefw＝ｇ（Ｄwp／Ｄp／（ｆ（Ｓtp）−ｆ（Ｓtb））−ｆ（Ｓtb））
で示される。ここで、
Ｄp：Ｖrefw宛てのＤ／Ａ変換回路３７に与える設定値Ｓrefwを変更後に期待するピークデータ，
Ｓtp：ピーク値Ｄwpを得たときのＤ／Ａ変換回路３７に与えた設定値Ｓrefw，
Ｓtb：Ｖrefb宛てのＤ／Ａ変換回路３７の設定値Ｓrefｂ、
である。
【００６９】
計算結果のＳrefwがＤ／Ａ変換回路３７の設定可能範囲（ＳrefwL〜ＳrefwH）内かチェックする。例えば、４３が８ｂｉｔのＤ／Ａ変換回路であれば設定可能範囲は、０〜２５５といった具合である。設定可能範囲内の値であれば、実際に設定して再度ピークデータＤwpを読み取る。計算結果のＳrefwがＤ／Ａ変換回路３７の設定可能範囲外の場合はエラーであるが、設定可能範囲内で計算値に近い値を設定して終了する。但し、このエラーになるのはパターン断線等のハード的な問題が発生している場合だけである。
【００７０】
基準白板読取り用基準電圧Ｖrefwを変更したので、原稿読取り用基準電圧Ｖrefdも変更しないとシェーディング補正後の画像データの大きさが変わってしまうので、変更する。変更前，後の基準白板読取り用基準電圧Ｖrefwを各々Ｖrefwb，Ｖrefwa、変更前，後の原稿読取り用基準電圧Ｖrefdを各々Ｖrefdb，Ｖrefda、下側基準電圧をＶrefbとした時に、
(Ｖrefwb−Ｖrefb)／(Ｖrefwa−Ｖrefb)
＝(Ｖrefdb−Ｖrefb)／(Ｖrefda−Ｖrefb)
になる様にＶrefdを変更する。すなわち、Ｄ／Ａ変換回路３７の原稿読取り用基準電圧Ｖrefdを、上式を満足するＶrefdaに設定する。
【００７１】
次にＣＰＵ４２は、Ｖrefd宛てに上記Ｖrefdaを出力する設定値を、またＶrefw宛てに上記Ｖrefwaを出力する設定値を設定し、このように設定した上基準電圧Ｖrefw，Ｖrefd、このとき設定中の制御電圧Ｖｇ，下基準電圧Ｖrefbの設定値Ｓrefw，Ｓrefd，Ｓvg，ＳrefbをＲＡＭ４３ｂに保存して、ゲイン等の調整ＡＧＣを終了する。このゲイン調整で得た各設定値は、コントローラボード４００に転送して、そのときの時刻を前回実施時刻としてこの前回実施時刻と共に、不揮発メモリであるＨＤＤ４０１の、ＡＦＥ１１１宛ての設定データテーブルに登録（更新書込み）する。
【００７２】
なお、スキャナ１００（およびＡＤＦ１２０）に電源が投入された直後に、スキャナ１００のＡＦＥ１１１のＣＰＵ４２は、ＨＤＤ４０１の上記各設定値をコントローラボード４００（のＨＤＤ４０１）から取得してＲＡＭ４３ｂに書込んでから、図６に示す画像出力補正１１３〜１１８内の各部に設定する。この設定を次に示す。
【００７３】
−ゲイン等の設定−
電源オフ又は省エネモード（休止モード：後述）から、原稿画像読取りの指示を待つ待機状態（スタンバイモード又は低電力モード：後述）に進むとき、ＣＰＵ４２は、コントローラボード４００のＨＤＤ４０１の設定データテーブルに登録している調整ゲイン等上述の各種設定値を読出してＲＡＭ４３ｂに書込み、そして各画像出力補正のＤ／Ａ変換回路３７のラッチ（レジスタ）に格納（設定）する。すなわちＣＰＵ４２は、不揮発メモリであるＨＤＤ４０１に登録したＶrefｄ用の設定値ＳrefdをＤ／Ａ変換回路３７に与えてそのＤ／Ａ変換出力電圧Ｖrefｄをセレクタ３８を介してＡ／Ｄ変換回路３４に上基準電圧として与える。また、Ｖｇ，Ｖrefbの設定値Ｓvg，ＳrefbもＤ／Ａ変換回路３７に与える。このような設定の後に、画像信号が画像出力補正１１３に入力されるときには、Ａ／Ｄ変換回路３４は、原稿読取りのアナログ画像信号を、下基準電圧Ｖrefbおよび上基準電圧Ｖrefｄの間を所定の分割数に分割して表わす画像データにＡ／Ｄ変換する。
【００７４】
−シェーディング補正データの設定−
ＣＰＵ４２は、第１キャリッジが基準白板ｒｗｐの直下にあるときのシェーディング補正用データの設定の時には、上述のようにゲイン調整値等の各設定値をＤ／Ａ変換回路３７に設定した画像読取り処理によって基準白板ｒｗｐを読取り、その画像データに基づいて主走査１ライン分のシェーディング補正データを生成してシェーディングデータ保存４０に格納する。
【００７５】
−原稿サイズ検出−
第１キャリッジが原稿検出位置にありしかも、圧板スイッチ１１２のオン／オフ信号が、圧板１３７開から閉の変化を示すと、読取りユニット１１０（図５）内のＣＰＵが照明灯１０２を点灯して第１キャリッジをホームポジションＨＰに駆動し、ＡＦＥ１１１のＣＰＵ４２が、原稿サイズ検出４８に、原稿サイズ検出を指示する。原稿サイズ検出４８は、各ラインの画像データの、主走査方向ｘの読取り始点（図３のように圧板１３７を開いた状態でのコンタクトガラス１０１の奥側の側端部）から終点までの連続白画素数をカウントして、数ラインのカウント値の平均値を、原稿サイズにエンコード（符号化）して、ＣＰＵ４２に出力する。なお、所定の連続白画素数が得られなかったときには原稿サイズ検出４８は、原稿なしコードをＣＰＵ４２に出力する。
【００７６】
−画像出力補正−
原稿画像読取りのときには、不揮発メモリであるＨＤＤ４０１の設定データテーブルから読み出してＤ／Ａ変換回路３７に設定された各設定値に従う画像処理をＡＦＥ１１１の各画像出力補正１１３〜１１８が実行し、可変ゲインアンプ３２は設定ゲインＶｇで画像信号を増幅し、Ａ／Ｄ変換回路３４は、画像信号を、下基準電圧Ｖrefbおよび上基準電圧Ｖrefｄの間を所定の分割数に分割して表わす画像データにＡ／Ｄ変換する。上述の「ゲイン等の調整ＡＧＣ」で設定し不揮発メモリ４３に書込んだ上基準電圧値Ｖrefw，Ｖrefdを用いてアナログ画像信号を画像データにＡ／Ｄ変換するので、仮に光量が経時で変動しても、Ａ／Ｄ変換回路３４が出力する画像データの精度は高く、安定する。
【００７７】
シエーディング補正回路３６が、画像データに、シェーディングデータ保存４０のデータに基づいてシエーディング補正を加える。これにより、主走査方向ｘの各点（画像）の画像データが、同一の白レベルに対しては実質上同一値の画像データとなるように補正されて出力される。
【００７８】
画像出力補正１１３が上述のようにシェーディング補正したＲ偶数番画素列の画像データは、ライン合成４５によって、同様に画像出力補正１１４がシェーディング補正したＲ偶数番画素列の画像データと１ライン列に合成されて、スキャナ画像処理３０３に出力される。同様な画像信号処理により、１ラインに合成されたＧおよびＢ画像データがライン合成４６および４７から、スキャナ画像処理３０３に出力される。
【００７９】
フラットベッド読取りの場合のシェーディング補正を説明する。ユーザが原稿をコンタクトガラス１０１に載せてＡＤＦ１２０を閉じるときに、圧板スイッチ１１２が開から閉に切換り、このとき第１キャリッジが原稿サイズ検出位置にあって、読取りユニット１１０が照明灯１０２を点灯して、ホームポジションＨＰへの第１キャリッジのリターン駆動を開始する。ＡＦＥ１１１の原稿サイズ検出４８が、画像出力補正１１５が出力するＧ画像データに基づいてコンタクトガラス１０１上の原稿サイズを検出する。基点センサ１０９が第１キャリッジを検出すると読取りユニット１１０は副走査位置データを基点センサ１０９の副走査位置（固定値データ）を表わすものに更新する。第１キャリッジを副走査駆動している間、読取りユニット１１０は、第１キャリッジを駆動するパルスモータの駆動パルスに同期して、第１キャリッジのフラットベッド読取りの副走査駆動（往駆動：図２で左から右）の間は副走査位置データをインクレメント（駆動パルスをアップカウント）し、リターン方向（図２で右から左）の駆動の間はデクレメント（駆動パルスをダウンカウント）する。この副走査位置を監視して読取りユニット１１０は、第１キャリッジをホームポジションに位置決めし、照明灯１０２を消灯する。
【００８０】
ユーザがスタートキー１７を操作すると、読取りユニット１１０が照明灯１０２を点灯して、第１キャリッジの、フラットベッド読取りの副走査駆動を開始する。副走査位置が、基準白板ｒｗｐの領域になるとシェーディングデータ保存４０（図６）が基準白板ｒｗｐの読取り画像データの読込みを開始して、複数ラインの平均値を算出して、一ライン上の各画素宛ての画像データの平均値を、基準白レベルの画像データ（例えば２５５又はその８０％程度）とするに必要な乗算係数値を算出し、データ保存４０の内部のＦＩＦＯメモリに格納する。
【００８１】
副走査位置が原稿始端から終端までの原稿領域にある間は、データ保存４０がＦＩＦＯメモリから１ライン上各画素宛ての乗算係数値を順次に読み出してシェーディング補正３６に与える。シェーディング補正３６は、原稿読取りの各ラインの各画素の画像データと、同一画素宛ての乗算係数値とを同時に、シェーディング補正３６の内部にあるＲＯＭの読出しアドレスに与える。ＲＯＭには、アドレスとして与えられた画像データと乗算係数値との積を表すシェーディング補正後の画像データが格納されているので、アドレスとして与えられた画像データのシェーディング補正した画像データが、ＲＯＭから出力されて、次段のライン合成４５に出力される。
【００８２】
次にシートスルー読取りの場合のシェーディング補正を説明する。ユーザが原稿トレイ１２１に原稿を装填してスタートキー１７を操作すると、読取りユニット１１０が原稿トレイ１２１からの原稿の送給を開始し、しかも、照明灯１０２を点灯して、第１キャリッジの、フラットベッド読取りの副走査駆動を開始する。副走査位置が基準白板ｒｗｐの領域になるとシェーディングデータ保存４０（図６）が基準白板ｒｗｐの読取り画像データの読込みを開始して、複数ラインの平均値を算出して、一ライン上の各画素宛ての画像データの平均値を、基準白レベルの画像データとするに必要な乗算係数値を算出し、データ保存４０の内部のＦＩＦＯメモリに格納する。これが終了すると読取りユニット１１０は、ホームポジションＨＰへの第１キャリッジのリターン駆動を開始して、第１キャリッジをホームポジションＨＰに位置決めする。これは原稿トレイ２１から繰り出した原稿の先端が窓ガラス１３２に到達するまでに終わる。
【００８３】
原稿の先端がホームポジションＨＰにある第１キャリッジの撮像視野に入りそして原稿の尾端が該撮像視野から抜ける間の原稿読取りの間、データ保存４０がＦＩＦＯメモリから１ライン上各画素宛ての乗算係数値を順次に読み出してシェーディング補正３６に与える。シェーディング補正３６は、シェーディング補正した画像データをライン合成４５に出力する。
【００８４】
原稿の尾端が第１キャリッジの撮像視野を抜けたときに原稿トレイ１２１に原稿があると読取りユニット１１０は、原稿の送り出しを開始し、上述の基準白板ｒｗｐの読取りを開始する。その後の読取り制御は上述の第１枚目の原稿読取りと同様である。
【００８５】
図７に、図５に示すスキャナ画像処理３０３およびプリンタ画像処理３０４の機能の概要を示す。カラー原稿スキャナ１００のＡＦＥ１１１が出力するＲＧＢ画像データには、スキャナガンマ補正３０６が加えられ、そして像域分離３１０の像域検出結果に従って、画像のエッジ領域にはエッジ強調処理を、滑らかに濃度が変わる中間調領域には平滑化処理を加えるフィルタ処理３０７が加えられる。
【００８６】
「黒（ＢＫ）」ボタン（図８）が指定状態（塗りつぶし状態）である白黒読取り又は白黒コピーの指示のときには、フィルタ処理３０７でエッジ強調処理又は平滑化処理を加えたＧ画像データのみが、頁メモリ３０８に書込まれる。「フルカラー」ボタンが指定状態であったときには、フィルタ処理３０７でエッジ強調処理又は平滑化処理を加えたＲＧＢ画像データがメモリ４０６（図５）に蓄積される。「自動色選択」ボタンが指定状態であったとき、ならびに、「黒（ＢＫ）」，「フルカラー」，「自動色選択」，「青（Ｃ）」，「赤（Ｒ）」および「黄（Ｙ）」ボタンのいずれも非指定状態で読取り，印刷の色を特定できないときには、フィルタ処理３０７が処理したＲＧＢ画像データがメモリ４０６に蓄積されると共に、Ｇ画像データが、頁メモリ３０８に書込まれる。
【００８７】
データセレクタ３０９は、読取り画像データとして、頁メモリ３０８のＧ画像データと、フィルタ処理３０７したＲＧＢ画像データの一方を選択出力するものである。なお、スキャナ画像処理３０３の頁メモリ３０８から画像処理Ｉ／Ｆ３０５に出力された画像データはその後は、白黒読取りのＢｋ画像データとして取り扱われる。
【００８８】
像域分離３１０は、読取り歪みを矯正するスキャナガンマ補正３０６をしたＧ画像データに対して、エッジ強調処理３１１を実施する。エッジ強調処理３１１は、Ｇ画像データ列の各画像データが宛てられる各画素を順次に注目画素として、注目画素を中心とする例えば３×３画素マトリクスの各画像データに、該画素マトリクスの各画素宛てのエッジ強調係数を乗算した積の総和に変換し、これを注目画素のエッジ検出値とする。エッジ検出値はエッジの鮮明度をあらわす。
【００８９】
エッジ検出値は、２値化３１４によって、像エッジ候補か否を表す２値データ（Ｈ：像エッジ候補／Ｌ：非エッジ）に変換されて、パターンマッチング３１５で、注目画素がエッジ位置（エッジ画素）かそうでないか判定される。すなわち注目画素の領域が文字，線画などの２値画像か、写真等の中間調画像か判定される。パターンマッチング３１５は、２値化３１４が出力するエッジ画素か否を表す２値データの、注目画素を中心とする領域（３×３画素マトリクス）の分布が、所定のエッジパターンに合致すると、そのときの注目画素を像エッジ領域（文字領域）の画素と判定する。
【００９０】
パターンマッチング３１５の判定結果（像エッジ（文字）／非エッジ（写真）すなわち文字／写真）がフィルタ処理３０７に与えられ、フィルタ処理３０７が、スキャナガンマ補正した画像データに、判定結果が「像エッジ」の領域にはエッジ強調処理を、「非エッジ」の領域には滑らかに濃度が変わる平滑化処理を加える。
【００９１】
ＡＣＳ(Auto Color Select)３１７が、原稿読取りの画像データが白黒画像を表すかカラー画像を表すかを検出する。ＡＣＳ３１７の白黒／カラー検出信号と、像域分離３１０の判定結果（エッジ（文字）／非エッジ（写真））を表わす像エッジ／非エッジ検出信号が頁判定３１８に与えられる。頁判定３１８は、１頁の原稿読取りの間、白黒／カラー検出信号のカラーと検出した画素数（画像データ数）および像エッジ／非エッジ検出信号の像エッジと検出した画素数を積算し、１頁の原稿読取りを終えたとき、各積算値が各設定値以上か判定して、カラーと検出した画素数が設定値以上であると原稿の画像は「カラー」と、設定値未満であると「白黒」と判定し、像エッジと検出した画素数が設定値以上であると文字又は線画などの２値画像（これを単純には「文字」という）と判定し、設定値未満であると非エッジ画像（これを単純には「写真」という）と判定する。頁判定３１８の判定結果（白黒／カラー＆文字／写真）を、１頁の原稿読取りを終えたときに、ＣＰＵ３０１が参照する。
【００９２】
プリンタ画像処理３０４の色補正３３１は、ＲＧＢ画像データをｙｍｃ（記録色）画像データに変換して主走査変倍３３２に出力する。主走査変倍３３２で必要に応じて変倍をしてから、プリンタ２００の作像特性に適合させるプリンタガンマ補正３３３をして、そして階調処理３３４で画素単位の記録／非記録のマトリクス分布によって濃度階調を表す画像データに変換してから、プリンタ２００に出力する。与えられる画象データがＧ（Ｂｋ）のみ（白黒）の場合には、画像データは色補正３３１ではなく主走査変倍３３２に与えられる。すなわち色補正処理は適用しない。
【００９３】
図８に示す様に、操作ボード１０には、液晶タッチパネル１１のほかに、テンキー１５，クリア／ストップキー１６，スタートキー１７，初期設定キー１８，モード切換えキー１９，テスト印刷キー２０，電源キー２１がある。また、図示は省略したが、液晶タッチパネル１１の左側には、ＵＲＬ，メール文，ファイル名，フォルダ名等の入力，設定用ならびに短縮登録用の、平仮名を付記したアルファベットキーボードがある。
【００９４】
電源キー２１は、省エネモード（休止モード又は低電力モード）から画像印刷が可能なスタンバイモードに、またその逆への切換えを指示するための操作キーである。省エネモードが設定されている時に電源キー２１が一回押されると、省エネモードからスタンバイモードに切換る。スタンバイモードであるときに電源キー２１が一回押されると、スタンバイモードから休止モードに切換る。テスト印刷キー２０は、設定されている印刷部数に関わらず１部だけを印刷し、印刷結果を確認するためのキーである。
【００９５】
初期設定キー１８を押す事で、機械の初期状態を任意にカスタマイズする事が可能である。インクジェットプリンタ２００の調整値を設定したり、クリーニングを指示したり、リフレッシングを指示したり、省エネモード（休止モード）への移行時間（Ｔｄ１）を設定したり、画像出力補正の更新間隔を設定したり、機械が収納している用紙サイズを設定したり、コピー機能のリセットキーを押したときに設定される状態を任意に設定可能である。初期設定キ−１８が操作されると、各種初期値を設定するための「初期値設定」機能ならびに「ユーザ登録」機能，「著作権登録／設定」機能および「使用実績の出力」機能等を指定するための選択ボタンが表示される。
【００９６】
「初期値設定」機能の中に、インクジェットプリンタ２００の調整値の設定，クリーニング指示およびリフレッシング指示をするプリンタの調整があり、また、スタンバイモードから休止モードへの移行時間Ｔｄ１および、アナログ画像信号をデジタル画像データに変換する変換特性の更新時間Ｔｄ３の設定（変更）がある。
【００９７】
液晶タッチパネル１１には、各種機能キーならびにエンジン３００およびコントローラボード４００の動作状態を示すメッセージなどが表示される。液晶タッチパネル１１には、「コピー」機能，「スキャナ」機能，「プリント」機能，「ファクシミリ」機能，「蓄積」機能，「編集」機能，「登録」機能およびその他の機能の選択用および実行中を表わす機能選択キー１４が表示される。機能選択キー１４で指定された機能に定まった入出力画面が表示され、例えば「複写」機能が指定されているときには、図８に示すように、機能キーならびに部数及び画像形成装置の状態を示すメッセージ１２，１３が表示される。オペレータが液晶タッチパネル１１に表示されたキーにタッチすると、操作ボード１０はオペレータ入力として読み込み、選択された機能を示すキーを、指定中を表す灰色に反転表示する。また、機能の詳細を指定しなければならない場合（例えばページ印字の種類等）はキーにタッチする事で詳細機能の設定画面がポップアップ表示される。このように、液晶タッチパネル１１は、ドット表示器を使用している為、その時の最適な表示をグラフィカルに行う事が可能である。
【００９８】
機能キー１２の中には、印刷色指定キー「黒（ＢＫ）」，「フルカラー」，「自動色選択」，「青（Ｃ）」，「赤（Ｍ）」および「黄（Ｙ）」指定キーがある。
【００９９】
図９には、操作ボード１０の回路ブロックを示す。操作ボード１０の電気制御系の主体は、コントローラボード４００のＣＰＵ４０２とコミュニケーションし、操作ボード１０の入力を読取り、操作ボード１０上の表示を制御するＣＰＵ  １，このＣＰＵ  １の制御プログラムが格納されているＲＯＭ  ２，制御時にデータの一時格納等を行うためのＲＡＭ  ３，液晶タッチパネル１１の描画データを格納するＶＲＡＭ  ７，このＶＲＡＭ  ７に接続され液晶タッチパネル１１の描画タイミング制御およびタッチ入力検知等を行う液晶表示コントローラ（ＬＣＤＣ）６，時刻データを発生する時計ＩＣ  ５等がある。ＬＣＤＣ  ６には、ＣＦＬの光源をバックライト９として有する液晶タッチパネル１１が接続される。ＣＰＵ  １には更に、ＣＦＬバックライト９を駆動するインバータ８，操作キー群１５〜２１のキーマトリクス，表示ＬＥＤのＬＥＤマトリクスおよびそれらのＬＥＤを駆動するＬＥＤドライバ等が接続されている。また、ＣＰＵ  １が接続されたデータバスには、画像処理モード記憶用の不揮発ＲＡＭ（ＮＶＲＡＭ）４が接続されている。
【０１００】
操作ボード１０のＣＰＵ  １は、操作ボード１０に対するユーザの操作に対応して、置数キーの押下の読込みと入力数字データの生成，スタートキーの押下の読込みと、スタート指示のコントローラボード４００への転送，用紙サイズの切換え入力の読取りなど、通常の複写機の操作読取りおよび表示出力の制御を行う。
【０１０１】
図１０に、図１および図５に示す複写機ＭＦ１の各部に動作電圧を与える給電系統の概要を示す。主電源スイッチである元電源スイッチ７９が閉じられると、商用交流１００Ｖが、電源回路８０の整流平滑回路８１に加わる。整流平滑回路８１の直流出力がＤＣ／ＤＣコンバータ８２に印加される。この例ではＤＣ／ＤＣコンバータ８２は、安定化した＋２４Ｖおよび＋５Ｖの、２系統の直流電圧＋２４ＶＥ，＋５ＶＥを発生する。インクジェットプリンタ２００には、レーザプリンタにあるような高電力を要する定着器はない。記録紙に噴射したインクの乾きを早くするためにヒータおよび又は送風機を装備する場合でも、高電力は不要である。
【０１０２】
電源回路８０では、コンバータ出力の＋２４ＶＥ（＋２４Ｖの電圧）と＋５ＶＥ（＋５Ｖの電圧）にそれぞれスイッチ８４，８５が接続されている。スイッチ８４，８５のオン／オフを行うための制御信号がコントローラボード４００からスイッチ８４，８５に与えられる。コピースタートあるいはプリントコマンドに応答して実質上遅れ時間無く画像形成を開始することが出来る「スタンバイモード」（待機モード；通常モード）では、コントローラボード４００は上記制御信号でスイッチ８４および８５を共にオンにしている。
【０１０３】
「休止モード」ではコントローラボード４００は、＋２４Ｖを給電するスイッチ８４および＋５Ｖを給電するスイッチ８５を、ともにオフにする。すなわちスイッチ８４，８５のすべてをオフにする。しかし休止モードでは、スイッチ８４，８５がオフではあるが、圧板スイッチ１１２，フイラーセンサ１３０および操作ボード１０の電源キースイッチ２１の各検出信号線には、コントローラボード４００の状態変化検知回路ＡＣＤにおいて検出電圧＋５ＶＥが印加される。また、パソコンＰＣのプリントコマンドを検知する電気回路、および、ファクシミリコントロールユニットＦＣＵのファクシミリ受信検知回路に、＋５ＶＥが継続して印加される。
【０１０４】
次の表１に、上述の省エネ切換えの各モードと、給電スイッチ８４，８５のオン／オフの関係を示し、表２には、上述の各モードで可能な情報処理項目を示す。表２上の「送，受信」はＦＣＵの、プリントアウトを伴なわないファクシミリ送，受信であり、データ保持は、メモリ４０６の蓄積画像データの保持である。
【０１０５】
【表１】
0004711773.tif 000002
【０１０６】
【表２】
0004711773.tif 000003
【０１０７】
図１１に、コントローラボード４００（のＣＰＵ４０２）が実行する、スタンバイモード／休止モード間の切換え制御と、インクジェットプリンタ２００のスタンバイモード／休止モード切換え制御を示す。電源回路８０（図１０）と商用交流電源ＡＣ（コンセント）との間の元電源スイッチ７９が閉じて電源回路８０が動作電圧を与えると、コントローラボード４００のＣＰＵ４０２は、電源オン応答の初期化処理（ステップ１）をして、そこでスタンバイモードを設定する（ステップ２）。すなわちスイッチ８４，８５をオンする。そして省エネモードレジスタＦＭのデータを、スタンバイモードを表わす「０」とし、スタンバイモードから休止モードへの切換え待ち時間Ｔｄ１を時限値とするタイマＴｄ１をスタートする。次に、「ヘッドクリーニング」ＣＬＧ１を実行する。「ヘッドクリーニング」ＣＬＧ１の内容は、図１２を参照して後述する。
【０１０８】
なお、以下においては、カッコ内にはステップと言う語を省略してステップ番号数字のみを記す。
【０１０９】
スタンバイモードが設定されたことにより、複写機ＭＦ１の各部に動作電圧が投入される。操作ボード１０のＣＰＵ１は、スタンバイモードの設定（２）による動作電圧の印加に応答して電源オン初期化を実行して、ＮＶＲＡＭ４にある標準処理モードのコピー条件を読み出して液晶タッチパネル１１に表示する。入力読取（３）では、操作ボード１０のＣＰＵ  １が操作ボード１０に対するユーザの操作を読み込んでコントローラボード４００のＣＰＵ４０２に報知し、また、コントローラボード４００のＣＰＵ４０２が、パソコンＰＣおよびＦＣＵからのコマンドを解読する。操作ボード１０のＣＰＵ  １は、画像処理モードキー１４入力の読取りと液晶パネル１１の表示の切換え，操作ボード１０に対するユーザの操作に対応して、置数キーの押下の読込みと入力数字データの生成，スタートキーの押下の読込みと、スタート指示のコントローラボード４００への転送，用紙サイズの切換え入力の読取りなど、通常の複写機の操作読取りおよび表示出力の制御を行う。
【０１１０】
スタンバイモードから休止モードへの切換えの待ち時間Ｔｄ１は、操作ボード１０から入力できるものであり、入力値が図９に示すＮＶＲＡＭ４に格納（登録）されているものである。「入力読取」（３）でＣＰＵ  １が、操作キー群１５〜２１の中の初期設定キー１８のオペレータ操作を読取ると（７ａ）、設定メニュー画面を液晶タッチパネル１１に表示し、「初期設定」ＩＮＧを実行する。
【０１１１】
オペレータが設定メニュー画面上のユーザ登録の欄を指定すると、ＣＰＵ  １は、管理者（administrater）の名前およびＩＤの入力を促す入力画面を液晶タッチパネル１１に表示し、オペレータが適正な名前およびＩＤを入力すると、液晶タッチパネル１１の表示面に図１３に示すユーザ登録画面を表示する。すなわち、図１３に示すユーザ登録画面は、管理者のみが表示することができる。ユーザ登録画面に、複写機ＭＦ１の使用を許可する者（ユーザ）の名前およびＩＤを入力して、使用を認める機能項目にタッチしてチェックマークを表示させ、またプリンタの調整項目の中の、使用を認める項目にタッチしてチェックマークを表示させてから、「登録」キーにタッチすることにより、ＣＰＵ  １が、ＮＶＲＡＭ４のユーザ登録テーブルに、表示中のユーザ情報を書き込む。登録中のユーザ名およびＩＤを入力して「抹消」キーにタッチがあったときには、ＮＶＲＡＭ４のユーザ登録テーブル上の、対応ユーザ情報が消去される。なお、操作ボード１０（図１０）の左隣には、ファクシミリ送受信の情報入力用の操作ボードがありそこにはアルファベッド入力キーがあるので、それを用いて名前およびＩＤをアルファベッドで入力することもできる。
【０１１２】
なお、オペレータが設定メニュー画面上のユーザ登録の欄を指定し、これに応答してＣＰＵ  １が、管理者（administrater）の名前およびＩＤの入力を促す入力画面を液晶タッチパネル１１に表示し、オペレータが適正な名前およびＩＤを入力し、これに応答してＣＰＵ  １が、液晶タッチパネル１１の表示面にユーザ登録画面を最初に表示したとき、該表示画面には、「利用者認証解除」キーが表示されており、このキーにオペレータがタッチすると、これに応答してＣＰＵ  １が、「汎用の操作可能登録」の画面を液晶タッチパネル１１の表示面に表示する。この「汎用の操作可能登録」の画面は図１３に示す１２ｒと類似であるが、ユーザ名およびＩＤの入力欄はなく、代わりに、全て禁止キー，全て許可キーおよび択一指定の欄があり、該択一指定の欄に、図１３の画面１２ｒ上に示す許可機能項目およびプリンタの調整項目がある。オペレータが入力をして、「登録」キーにタッチすると、ＣＰＵ  １が、ＮＶＲＡＭ４のユーザ登録テーブルに、ユーザ宛てではなく、汎用として入力情報を書き込み、ユーザ登録テーブルの先頭に「利用者認証解除」情報を設定する。この情報があるときには、ユーザ登録画面を表示したとき、「利用者認証解除」キーが、指定済の灰色表示で表され、この状態でオペレータが「利用者認証解除」キーにタッチすると、非指定の白背地に表示が変更され、ユーザ登録テーブルの先頭の「利用者認証解除」情報は消去される。ユーザ認証をすべき段階では、ユーザ登録テーブルに「利用者認証解除」情報があるかがまず検索されて、それがあるとユーザ認証は行わないで、認証が成立したときの処理に直行する。「利用者認証解除」情報がない時に、ユーザ認証を実行する（図１４の４１ｂ，図１８の１０２ｂ，図１９の１１７ｂ）。
【０１１３】
オペレータが設定メニュー画面上のプリンタの調整の欄を指定すると、ＣＰＵ  １は、液晶タッチパネル１１の表示面に、図１５に示すプリンタの調整の入力画面を表示して、ＣＰＵ  ４０２は図１４に示す「プリンタの調整」ＩＮＧｐを実行する。この内容は後述する。時間設定の欄を指定したときには、ＣＰＵ  １は、管理者（administrater）の名前およびＩＤの入力を促す入力画面を液晶タッチパネル１１に表示し、オペレータが適正な名前およびＩＤを入力すると、液晶タッチパネル１１の表示面に、省エネ切換え待ち時間Ｔｄ１，「ゲイン等の調整ＡＧＣ」の実行間隔Ｔｄ３、および、プリンタ２００のクリーニング或いはリフレッシングの要否判定の参照時間Ｔｒ１，Ｔｒ２、の設定画面を表示するので、ここで待ち時間Ｔｄ１ａ，実行間隔Ｔｄ３および参照時間Ｔｒ１，Ｔｒ２を調整することができる。
【０１１４】
図１１の「入力読取」（３）で、パソコンＰＣから印刷指示を受けると、あるいはＦＣＵ４１７がファクシミリ受信を報知してくると（５）、ＣＰＵ４０２は電源回路８０を、休止モードであると、スタンバイモードに切換え（６）、「ヘッドクリーニング」ＣＬＧ２を実行する。この内容は、後述する「ヘッドクリーニング」ＣＬＧ１と同様である。そして状態検知回路ＡＣＤのラッチをセットする（６ａ）。これにより、電源投入モード信号ＰＯＤが「１」になる。
【０１１５】
図１１の「入力読取」（３）で、指示入力、例えば、操作ボード１０に対するユーザの操作（画像処理モード指定キー１４のタッチ，置数キーの押下，スタートキーの押下，用紙サイズの切換え，その他）を受けるとコントローラボード４００のＣＰＵ４０２は、指示入力に対応した処理に進む（５−７ａ−７ｂ−８）。
【０１１６】
図１１の「入力読取」（３）で、スタンバイモードを設定しているときに電源キー２１がオンすると操作ボード１０のＣＰＵ  １およびコントローラボード４００のＣＰＵ４０２は、ユーザが休止モードへの切換えを指示したとみなして（７ｂ，９）、原稿サイズ読取り位置への駆動を読取りユニット１１０のＣＰＵに指示して（１０）、読取りユニット１１０のＣＰＵが原稿サイズ読取り位置への駆動完了を報知してくるのを待って（１１）、液晶タッチパネル１１に表示中の画像処理モードを、ＮＶＲＡＭ４に前回モードとして書込み、「保全処置」ＰＲＳを実行してから、休止モードに移行する（１２）。「保全処置」ＰＲＳの内容は、図１７を参照して後述する。休止モードに移行するとＣＰＵ４０２は、状態変化検知回路ＡＣＤが変化検出信号を発生するのを待ち（１３）、変化検出信号が発生すると、電源回路８０をスタンバイモードに設定する（６）。なお、変化検出信号を発生するのを待っている間、ＰＣから印刷コマンドが到来すると、電源回路８０をスタンバイモードに設定する（６）。
【０１１７】
休止モードを設定しているときに電源キー２１がオンするとＣＰＵ４０２は、ユーザがスタンバイモードへの切換えを指示したとみなして、スタンバイモードを設定し、ＮＶＲＡＭ４に書き込んでいる前回画像処理モードを読出して液晶タッチパネル１１に表示する（７ｂ−９−６）。
【０１１８】
原稿スキャナ１００およびＡＤＦ１２０に電源が投入されると、原稿スキャナ１００の読取りユニット１１０のＣＰＵは、動作電圧＋５Ｖの印加に応答して電源オン初期化を実行する。そして読取りユニット１１０は、状態変化検知回路ＡＣＤの電源投入モード信号ＰＯＤを参照する。電源投入モード信号ＰＯＤが、原稿スキャナ１００への動作電圧の印加が、主電源スイッチ７９のオフからオンへの切換りによるものであることを示す「０」であると、読取りユニット１１０のＣＰＵは、「ホーミング」を実行する。この「ホーミング」では、照明灯１０２および第１ミラー１０３を搭載した第１キャリッジをリターン（復）方向（図２で左方向）に駆動し、基点センサ１０９が第１キャリッジを検知すると、読取りユニット１１０のＣＰＵの内部メモリに割当てた副走査位置レジスタにＡ（図２）を表わす基点位置データを設定する。ホーミングレジスタには、ホーミング済を表わす「１」を書込む。すなわち、ホーミング済を表わす情報をセットする。そして更にリターン駆動しこの駆動の間キャリッジ駆動のパルスモータの駆動パルスを基点位置データからカウントダウンして副走査位置レジスタの位置データを現在位置を表すものに更新し、副走査位置レジスタの位置データが、フラットベッド原稿読み取りでの副走査駆動基点であるホームポジションＨＰを表わすものになると、そこで第１キャリッジの駆動を停止する。なお、第１キャリッジのリターン駆動を開始してから、基点センサ１０９が第１キャリッジを検知することなく、ホームポジションＨＰより左側にある図示しないリミットスイッチが第１キャリッジによってオンからオフに切り替えられると、読取りユニット１１０のＣＰＵは、キャリッジ駆動のパルスモータの駆動を停止し、次に読取り副走査方向（右方向）の駆動を開始し、基点センサ１０９が第１キャリッジを検知すると、副走査位置レジスタにＡ（図２）を表わす基点位置データを設定する。そして更に右方向に駆動しこの駆動の間キャリッジ駆動のパルスモータの駆動パルスを基点位置データからカウントアップして副走査位置レジスタの基点位置データを現在位置を表すものに更新し、基点位置データが原稿サイズ検出位置（Ａ＋Ｂ＋Ｃ）を表わすものになると、そこで第１キャリッジの読取り副走査方向の駆動を停止する。そしてリターン方向（左方向）に駆動し、基点センサ１０９が第１キャリッジを検知すると、副走査位置レジスタにＡ（図２）を表ホーミングレジスタには、ホーミング済を表わす「１」を書込む。すなわち、ホーミング済を表わす情報をセットする。わす基点位置データを設定する。そして更にリターン駆動して、副走査位置レジスタの位置データが、フラットベッド原稿読み取りでの副走査駆動基点であるホームポジションＨＰを表わすものになると、そこで第１キャリッジの駆動を停止する。
【０１１９】
上述の「ホーミング」を完了すると、読取りユニット１１０のＣＰＵは、「読み取りゲイン等の取得と設定」を行う。「読み取りゲイン等の取得と設定」では、ＡＦＥ１１１のＣＰＵ４２は、コントローラボード４００のＨＤＤ４０１の、ＡＦＥ１１１宛ての設定データテーブルに登録している調整ゲイン等上述の各種設定値を読出してＲＡＭ４３ｂに書込み、そして各画像出力補正のＤ／Ａ変換回路３７のラッチ（レジスタ）に格納（設定）する。すなわちＣＰＵ４２は、不揮発メモリであるＨＤＤ４０１に登録したＶrefｄ用の設定値ＳrefdをＤ／Ａ変換回路３７に与えてそのＤ／Ａ変換出力電圧Ｖrefｄをセレクタ３８を介してＡ／Ｄ変換回路３４に上基準電圧として与える。また、Ｖｇ，Ｖrefbの設定値Ｓvg，ＳrefbもＤ／Ａ変換回路３７に与える。
【０１２０】
つぎにＣＰＵ４２は、「出力補正の制御」を行う。この内容は、前述の「ゲイン等の調整ＡＧＣ」で説明したものである。そして、この「ゲイン等の調整ＡＧＣ」で更新した各設定値を、現在時刻と共に、ＨＤＤ４０１のＡＦＥ１１１宛ての設定データテーブルに更新登録する。そしてキャリッジをホームポジションＨＰに戻す。
【０１２１】
＋５Ｖの動作電圧の印加に応答して初期化を実行したとき、電源投入モード信号ＰＯＤが休止モードから待機モードへの切換り（省エネ復帰）による電源オンを表す「１」であったときには、ＡＦＥ１１１のＣＰＵは、操作ボード１０の時計ＩＣ５から現在時刻を取得し、ＨＤＤ４０１のＡＦＥ１１１宛ての設定データテーブルから、比較データＴｄ３（Ｃ），ゲイン等の設定値および前回実施時刻を取得（読出し）て、ＲＡＭ４３ｂに書込み、そして各画像出力補正のＤ／Ａ変換回路３７のラッチに格納する。すなわちＶrefｄ用の設定値ＳrefdをＤ／Ａ変換回路３７に与えてそのＤ／Ａ変換出力電圧Ｖrefｄをセレクタ３８を介してＡ／Ｄ変換回路３４に上基準電圧として与える。また、Ｖｇ，Ｖrefbの設定値Ｓvg，ＳrefbもＤ／Ａ変換回路３７に与える。次にＣＰＵ４２は、前回実施時刻，現在時刻および参照データＴｄ３を参照して、前回実施時刻から現在時刻までの経過時間がＴｄ３以上であると、前述の「ホーミング」，「読み取りゲイン等の取得と設定」，「出力補正の制御」および「更新した読み取りゲイン等と実施時刻を登録」を実行する。
【０１２２】
しかし前回実施時刻から現在時刻までの経過時間がＴｄ３未満であったときには、圧板１３７が閉でＡＤＦ１２０に原稿が装着されていると、その後シートスルー読取りが指示される可能性が高いので、「ホーミング」を実行してキャリッジをホームポジションＨＰに位置決めする。この内容は前述の「ホーミング」と同様である。圧板１３７が開のとき、ならびに、ＡＤＦ１２０に原稿がない時には、先に休止モードに移行するときにキャリッジを原稿幅検出位置に駆動しており、その後圧板閉（原稿サイズ検知要）となる可能性が高いので、「ホーミング」は実行しない。すなわちキャリッジは駆動しない。
【０１２３】
次に読取りユニット１１０のＣＰＵは、圧板スイッチ１１２のオン／オフ信号の変化を監視して、圧板１３７がコンタクトガラス１０１に対して略３０度の設定値を超える開度（圧板開）に変化（リフトアップ）すると、圧板開閉レジスタＦＰのデータを、圧板閉を表わす０から圧板開を表わす１に更新して、第１キャリッジが原稿幅検出位置にないと、原稿幅検出位置に駆動する。圧板１３７がコンタクトガラス１０１に対して略３０度程度の設定値以下の開度に閉じるときは、読取りユニット１１０のＣＰＵは、圧板開閉レジスタＦＰのデータを、圧板開を表わす１から圧板閉を表わす０に更新して、「原稿サイズ検知」を行う。
【０１２４】
「原稿サイズ検知」では、照明灯１０２を点灯してホームポジションＨＰへのキャリッジ駆動（リターン駆動：図２で左方向）を開始し、ＡＦＥ１１１のＣＰＵ４２を介して原稿サイズ検出４８に原稿サイズ検出を指示し、原稿サイズ検出４８がＣＣＤ１０７の読取り画像信号に基づいてコンタクトガラス１０１上の原稿サイズを検出し、原稿サイズコードをＣＰＵ４２に出力し、原稿サイズコードをＣＰＵ４２からＣＰＵ３０１，４０２および操作ボード１０に報知する。読取りユニット１１０のＣＰＵは次に、「ホーミング」を行う。この内容は前述の「ホーミング」と同様である。
【０１２５】
例えば、ユーザが、コンタクトガラス１０１に原稿を配置してＡＤＦ１２０をコンタクトガラス１０１上に降ろすときに、原稿サイズが検出され、第１キャリッジが原稿読取りの副走査駆動の始点であるホームポジションＨＰに駆動される。そしてユーザがコピースタートを指示すると、フラットベッド読取りが行われる。
【０１２６】
圧板１３７に開／閉変化がない間、読取りユニット１１０のＣＰＵは、原稿幅読取り位置への駆動指示または原稿読取りスタート指示がＣＰＵ４０２から与えられるのを待つ。すでに説明したが、ＣＰＵ４０２は、休止モードに移行するとき、原稿幅読取り位置への駆動指示を読取りユニット１１０に与える（図１１の１０）。これに応答して読取りユニット１１０は、第１キャリッジを、原稿幅読取り位置にないとそこに駆動して駆動完了をＣＰＵ４０２に報知する。そして休止モード（スキャナへの動作電圧遮断）に切換わるのを待つことになる。ＣＰＵ４０２は、原稿幅読取り位置への駆動完了の返信をえると、電源回路８０を休止モードに切り換える（図１１の１１，１２）。
【０１２７】
ＣＰＵ３０１が原稿読取りスタートを読取りユニット１１０に指示すると、読取りユニット１１０のＣＰＵは、ホーミングレジスタの情報を参照して、それがホーミング未完であることを表わす「０」であると、「原稿サイズ検出」を実行する。この「原稿サイズ検出」の内容は、前述の「原稿サイズ検出」の内容と同様である。「原稿サイズ検出」を終えると、「ホーミング」を実行する。この「ホーミング」の内容は、前述の「ホーミング」の内容と同様である。ホーミングを実行することにより、ホーミングレジスタの情報が、ホーミング済を表わす「１」に変更される。ホーミング済になると、読取りユニット１１０のＣＰＵは、フィラーセンサ１３０の検出信号を参照して、それがＡＤＦ１２０に原稿ありであると「シートスルーの原稿読取り」を行うが、ＡＤＦ１２０に原稿がないと「フラットベッド原稿読取り」を行う。
【０１２８】
図１２に、図１１に示す「ヘッドクリーニング」ＣＬＧ１の内容を示す。「ヘッドクリーニング」ＣＬＧ１に進むとＣＰＵ４０２は、ＮＶＲＡＭ４に定めている前時刻レジスタの時刻データ（前時刻）と、時計ＩＣの現在時刻データ（現時刻）を参照して、それらの差すなわち前回の「ヘッドクリーニング」からの経過時間を算出して、該経過時間が、比較的に短い第１参照時間Ｔｒ１未満であるときには、プリンタ２００に、スタンバイを指示する。プリンタ２００はこれに応答して、キャップ２０５（図４）を下方の退避位置に駆動し（「アンキャッピング」：３７）、そしてキャリッジ２０２を往駆動（図４上左から右への方向）を開始して、電動ワイピング機構２０６のブレードロータを図４上で反時計方向に回転駆動してキャリッジ２０２の下面（記録ヘッドのインク噴射面）を拭い（「ワイピング」：３８）、キャリッジ２０２の退避位置からホームポジションへの移動行路の途中にある、図示しないキャリッジセンサがキャリッジを検出すると、該位置を表わすデータを、プリンタ２００内のＲＡＭの１領域に定めたｘ位置レジスタに更新書込みして、キャリッジ２０２の往駆動の所定微小距離のキャリッジ駆動毎にｘ位置レジスタの位置データを１インクレメントし（その逆方向の復駆動の時には１デクレメント）、該位置データがホームポジションの位置を表す固定データ（設定値）に合致すると、そこでキャリッジ２０２の往駆動を停止する（「ホーミング」：３９）。以上がプリンタ２００のスタンバイ動作である。プリンタ２００がスタンバイの完了を知らせてくると、ＣＰＵ４０２は、メインルーチンに復帰する。すなわち、図１１のステップ３に進む。
【０１２９】
前記経過時間（現時刻−前時刻）が第１参照時間Ｔｒ１以上第２設定時間Ｔｒ２未満（Ｔｒ２＞Ｔｒ１）であった場合には、ＣＰＵ４０２は、プリンタ２００に「クリーニング１」を指示する。プリンタ２００はこれに応答してまず、インク噴射ノズルの、Ｔｒ２程度の時間の経過により高粘度になったインクを吹き出す程度の比較的に低いエネルギでインク駆動エレメントを付勢し、高粘度インクを押し出しそしてつづいて定常の低粘度インクを連続的に噴射してノズル内部をクリーニングするに十分な第１設定時間の間インク噴射を継続し、第１設定時間が経過するとインク噴射を停止する（「インク噴射１（弱）」：２２）。次にプリンタ２００は、スタンバイ（２３〜２５）を実行する。このスタンバイ（２３〜２５）の内容は、上述のスタンバイ（３７〜３９）の内容と同じである。プリンタ２００が「クリーニング１」の完了（スタンバイの完了）を知らせてくるとＣＰＵ４０２は、ＮＶＲＡＭ４に保持している前時刻データを現在時刻を表すものに更新して（２６）、メインルーチンに復帰する。
【０１３０】
前記経過時間（現時刻−前時刻）が第２設定時間Ｔｒ２以上であった場合には、ＣＰＵ４０２は、プリンタ２００に「リフレッシング１」を指示する。プリンタ２００はこれに応答して、「アンキャッピング」（２７），「ワイピング」（２８）および「ホーミング」（２９）を実行して、キャリッジ２０２の下面をブレードで拭い、そしてキャリッジ２０２をホームポジションに止める。ここでの「ワイピング」（２８）は、比較的に長い時間の不使用により、キャリッジ下面のインク噴射面のノズル周りにインクが凝固または半凝固している場合に、これをはたき落とすことを意図したものである。次に「キャップ位置に復帰」（３０）においてキャリッジ２０２をホームポジションからキャップ位置（退避位置）に駆動し、この間、ワイピング機構２０６でブレードロータを、図４上で時計方向に回転駆動して、退避位置への駆動の間も、キャリッジ２０２の下面をワイピングする。これは下面のクリーニング効果を高める。キャリッジ２０２を退避位置に戻すとプリンタ２００は、キャップ２０５を作用位置に上駆動する（「キャッピング」：３１）。これにより、キャップ２０５の上端開口縁のシール材がキャリッジ下面に密着する。次にプリンタ２００は、インク噴射ノズルの、Ｔｒ２よりさらに長い時間の経過により高粘度になった、或いは、半凝固したインクを、時間をかけて押し出す程度の比較的に高いエネルギでインク駆動エレメントを付勢し、押し出しが完了するに十分な第２設定時間の間、該インク噴射付勢を継続する（「インク噴射２（強）」：３２）。第２設定時間が経過すると、
定常の低粘度インクを連続的に噴射してノズルの外周りに小液滴になって留まっているかもしれないインクを引き寄せて合体して下方に滴下除去しかつノズル内部をさらにクリーニングするに十分な第３設定時間の間インク噴射を継続し、第３設定時間が経過するとインク噴射を停止する（「インク噴射３（弱）」：３３）。次にプリンタ２００は、スタンバイ（３４〜３６）を実行する。このスタンバイ（３４〜３６）の内容は、上述のスタンバイ（３７〜３９）の内容と同じである。プリンタ２００が「リフレッシング１」の完了（スタンバイの完了）を知らせてくるとＣＰＵ４０２は、ＮＶＲＡＭ４に保持している前時刻データを現在時刻を表すものに更新して（３７）、メインルーチンに復帰する。
【０１３１】
図１４に、図１１の「初期設定」ＩＮＧの中の「プリンタの調整」ＩＮＧｐの内容を示す。オペレータが「初期設定」ＩＮＧで表示した設定メニュー画面上の「プリンタの調整」の欄を指定すると、ＣＰＵ  １は、液晶タッチパネル１１の表示面に、図１５に示すプリンタの調整の入力画面を表示する（４１ａ）。この入力画面には、ユーザ認証のためのユーザ名およびＩＤ入力欄があるが、ＮＶＲＡＭ４のユーザ登録テーブルに「利用者認証解除」情報があるときには、汎用の操作可能情報（図１３のユーザ登録で汎用として登録した許可事項）をユーザ登録テーブルから読み出してＲＡＭ３又はＣＰＵ１の内部ＲＡＭに定めた許可情報レジスタに保持する（４１ｂ，４４ｂ）。ユーザ登録テーブルに「利用者認証解除」情報がなかった場合には、ユーザ認証のためのユーザ名およびＩＤ入力欄に入力があってテンキーブロツク１５の＃キーが押されると、ＣＰＵ１が、入力があったユーザ名およびＩＤが、ＮＶＲＡＭ４のユーザ登録テーブルに登録されたものであるか検索し、登録されたものであると、そのユーザ情報（図１３のユーザ登録で登録した許可事項）を、ＮＶＲＡＭ４から読み出しＲＡＭ３又はＣＰＵ１の内部ＲＡＭに定めた許可情報レジスタに保持する（４１ｂ，４２，４３，４４ａ）。そして、操作指示入力を読み取る（４５）。
【０１３２】
プリンタの調整の入力画面上の「クリーニング」キーにタッチがあると、ＣＰＵ１は、許可情報レジスタに「クリーニング」があると、ＣＰＵ４０２に「クリーニング」指示を報知し（４６〜４８）、これに応答してＣＰＵ４０２は、図１６に示す「クリーニング」ＣＬＧｋを実行する（４６〜４８）。許可情報レジスタに「クリーニング」がないと、現在のオペレータであるユーザには、クリーニング権限が与えられていないので、「クリーニング」キータッチには応答しない。すなわち無視する。ＣＰＵ４０２は、該「クリーニング」指示を受けると、現段階（初期設定ＩＮＧ）では、先行の「ヘッドクリーニング」ＣＬＧ１又は「ヘッドクリーニング」ＣＬＧ２の実行により、キャリッジ２０２は、キャップ位置（退避位置）ではなくホームポジションにあって、キャップは被さっていないので、図１６に示す「クリーニング」ＣＬＧｋに進んで、プリンタ２００に「クリーニング２」を指示する。プリンタ２００はこれに応答して、キャリッジ２０２をホームポジションからキャップ位置（退避位置）に駆動し（「キャップ位置に復帰」：７１）、この間、ワイピング機構２０６でブレードロータを、図４上で時計方向に回転駆動して、退避位置への駆動の間も、キャリッジ２０２の下面をワイピングする。キャリッジ２０２を退避位置に戻すとプリンタ２００は、キャップ２０５を作用位置に上駆動する（「キャッピング」：７２）。これにより、キャップ２０５の上端開口縁のシール材がキャリッジ下面に密着する。次にプリンタ２００は、「インク噴射１（弱）」（７３）を実行する。この内容は、「インク噴射１（弱）」（２２）と同様である。次にプリンタ２００は、スタンバイ（７４〜７６）を実行する。このスタンバイ（７４〜７６）の内容は、上述のスタンバイ（３７〜３９）の内容と同じである。プリンタ２００が「クリーニング２」の完了（スタンバイの完了）を知らせてくるとＣＰＵ４０２およびＣＰＵ１は、ＮＶＲＡＭ４に保持している前時刻データを現在時刻を表すものに更新して（７７）、図１４の「プリンタの調整」ＩＮＧｐの入力読み取り（４５）に復帰する。
【０１３３】
プリンタの調整の入力画面上の「リフレッシング」キーにタッチがあると、ＣＰＵ１は、許可情報レジスタに「リフレッシング」があると、ＣＰＵ４０２に「リフレッシング」指示を報知し（４９〜５１）、これに応答してＣＰＵ４０２は、図１６に示す「リフレッシング」ＲＥＧｋを実行する（４６〜４８）。許可情報レジスタに「リフレッシング」がないと、現在のオペレータであるユーザには、リフレッシング権限が与えられていないので、「リフレッシング」キータッチには応答しない。すなわち無視する。ＣＰＵ４０２は、該「リフレッシング」指示を受けると、図１６に示す「リフレッシング」ＲＥＧｋに進んで、プリンタ２００に「リフレッシング２」を指示する。プリンタ２００はこれに応答して、キャリッジ２０２をホームポジションからキャップ位置（退避位置）に駆動し（「キャップ位置に復帰」：８１）、この間、ワイピング機構２０６でブレードロータを、図４上で時計方向に回転駆動して、退避位置への駆動の間も、キャリッジ２０２の下面をワイピングする。キャリッジ２０２を退避位置に戻すとプリンタ２００は、キャップ２０５を作用位置に上駆動する（「キャッピング」：８２）。これにより、キャップ２０５の上端開口縁のシール材がキャリッジ下面に密着する。次にプリンタ２００は、「インク噴射２（強）」（８３）および「インク噴射３（弱）」（８４）を実行する。これらの内容は、前述の「インク噴射２（強）」（３２）および「インク噴射３（弱）」（３３）と同様である。次にプリンタ２００は、スタンバイ（８５〜８７）を実行する。このスタンバイ（８５〜８７）の内容は、上述のスタンバイ（３７〜３９）の内容と同じである。プリンタ２００が「リフレッシング２」の完了（スタンバイの完了）を知らせてくるとＣＰＵ４０２は、ＮＶＲＡＭ４に保持している前時刻データを現在時刻を表すものに更新して（８８）、図１４の「プリンタの調整」ＩＮＧｐの入力読み取り（４５）に復帰する。
【０１３４】
図１４を再度参照する。プリンタの調整の入力画面上の「ヘッド位置ｘ」又は「ヘッド位置ｙ」のＫ，Ｃ，Ｙ，Ｍ欄のいずれかのＵｐキー又はＤｗｏｎキーにユーザのタッチがあると、ＣＰＵ１は、許可情報レジスタに「ヘッド位置」があると、該欄の表示中のデータ（図４上のＤｋ，Ｄｃ，Ｄｍ又はＤｙ相当のタイミング値データ）を、１インクリメント又は１デクレメントした値を示すものに表示を更新する（５２〜５４）。許可情報レジスタに「ヘッド位置」がないと、現在のオペレータであるユーザには、ヘッド位置調整権限が与えられていないので、キータッチには応答しない。すなわち無視する。なお、ＮＶＲＡＭ４に保持するヘッド位置データは、「設定」キーにユーザタッチがあったときに、更新表示したデータに書き変えられ（６８，６９）、その後の印刷や複写での主走査プリント方向の記録開始タイミングの制御に用いられる。
【０１３５】
プリンタの調整の入力画面上の「印字開始位置ｘ」又は「印字開始位置ｙ」の欄のＵｐキー又はＤｗｏｎキーにユーザのタッチがあると、ＣＰＵ１は、許可情報レジスタに「印字開始位置」があると、開始位置データＤｘ又はＤｙを変更する。例えば、「印字開始位置ｘ」の欄の表示中のデータ（図４上の記録紙ＰＡＰ左端基準位置から、紙幅中央方向に入り込んだ記録紙上主走査方向の記録開始位置Ｄｘ；各色ヘッドの記録開始タイミング値は、Ｄｋ＋Ｄｘ，Ｄｃ＋Ｄｘ，Ｄｍ＋Ｄｘ，Ｄｙ＋Ｄｘとなる）を、１インクリメント又は１デクレメントした値を示すものに表示を更新する（５５〜５７）。許可情報レジスタに「印字開始位置」がないと、現在のオペレータであるユーザには、印字開始位置調整権限が与えられていないので、キータッチには応答しない。すなわち無視する。
【０１３６】
プリンタの調整の入力画面上の「用紙送り量」の欄のＵｐキー又はＤｗｏｎキーにユーザのタッチがあると、ＣＰＵ１は、許可情報レジスタに「用紙送り量」があると、該欄の表示中のデータ（副走査ｙ方向の、記録紙先端から記録開始位置までの距離を定めるデータ；レジストローラ２０８から用紙送出を開始して、記録開始のために用紙送出を一旦停止するまでのタイミング値に反映される）を、１インクリメント又は１デクレメントした値を示すものに表示を更新する（５８〜６０）。許可情報レジスタに「用紙送り量」がないと、現在のオペレータであるユーザには、用紙送り量調整権限が与えられていないので、キータッチには応答しない。すなわち無視する。
【０１３７】
プリンタの調整の入力画面上の「初期値に戻す」キーにユーザのタッチがあると、ＣＰＵ１は、許可情報レジスタに「初期値に戻す」があると、「ヘッド位置ｘ」，「ヘッド位置ｙ」の各表示データ（８種），「印字開始位置ｘ」，「印字開始位置ｙ」の表示データおよび「用紙送り量」の表示データを、ＮＶＲＡＭ４に固定保持している各初期値（標準値：デフオルト）に、更新する（６１〜６３）。許可情報レジスタに「初期値に戻す」がないと、現在のオペレータであるユーザには、初期値に戻す権限が与えられていないので、キータッチには応答しない。すなわち無視する。
【０１３８】
プリンタの調整の入力画面上の「キャンセル」キーにユーザのタッチがあると、ＣＰＵ１は、このキータッチの直前の入力によって更新した表示を、該更新の前の表示に戻す（６４，６５）。「戻る」キーにユーザのタッチがあると、ＣＰＵ１は、初期設定メニュー画面に、液晶ディスプレイ１１の表示を戻す（６６，６７）。「設定」キーにユーザのタッチがあると、ＮＶＲＡＭ４に保持する「プリンタの調整」のデータを、ユーザの変更入力に応じて表示を変更したデータに書き変え（６８，６９）、そして初期設定メニュー画面に、液晶ディスプレイ１１の表示を戻す（６７）。
【０１３９】
図１７に、図１１の「保全処置」ＰＲＳの内容を示す。この「保全処置」ＰＲＳは、休止モードに移行すると、それが長時間継続する場合もあるので、ヘッドにキャップをしてノズルからのインクの蒸発を抑制するものである。休止モードに移行すると、動作電源（＋５Ｖ，＋２４Ｖ）がオフになって、キャリッジ駆動，キャッピング，ワイピング等が実行できなくなるので、休止モードに移行する直前に「保全処置」ＰＲＳを実行する。なお、休止モードに移行する直前には、キャリッジ２０２はホームポジションにある。
【０１４０】
「保全処置」ＰＲＳでは、ＣＰＵ４０２がプリンタ２００に「保全処置」を指示し、これに応答してプリンタ２００が、電動ワイピング機構２０６のブレードロータを図４上で時計方向に回転駆動して（９１）、キャリッジ２０２をキャップ位置（退避位置）に駆動する（９２）。キャリッジ２０２がワイピング機構２０６を通過するとブレードロータの回転駆動を停止し、キャップ位置にキャリッジ２０２を位置決めすると、キャップ２０５を作用位置に駆動する（９３）。これを終えるとプリンタ２００が「保全処置」をＣＰＵ４０２に報知し、これに応答してＣＰＵ４０２が図１１の「休止モードを設定」（１２）を実行し、これにより電源回路８０（図１０）の、動作電圧出力（＋５Ｖ，＋２４Ｖ）が消滅する。
【０１４１】
図１８および図１９に、エンジン３００のＣＰＵ３０１の、複写コマンドに応答する複写制御の概要を示す。図１８を参照すると、ＣＰＵ１が操作ボード１０に対するユーザの複写スタート指示に応答してＣＰＵ３０１に複写コマンドを与えると、ＣＰＵ３０１が図１８に示す複写制御を開始して、ＡＤＦ１２０に原稿があると読取りユニット１１０はシートスルーの原稿読取りを実行し、ＣＰＵ３０１は、「黒（ＢＫ）」ボタンがオンのときには、スキャナ画像処理３０３に、像域分離結果に従うフィルタ処理３０７をしたＧ画像データを頁メモリ３０８（図７）に格納させる（１０１〜１０３）。１原稿のシートスルー読取りを終了するとＣＰＵ３０１は、頁メモリ３０８のＧ画像データを読み出してプリンタ画像処理３０４で所要の処理をしかつ２値化処理してプリンタ２００の書込ユニット２１２に出力してＢｋ印刷を行う印刷工程を繰り返し、これにより設定枚数のコピーをプリンタ２００から排出する（１０４）。そして原稿トレイ１２１上の次の原稿を繰り出す（１０５−１０２）。このようにして、原稿トレイ１２１上の各原稿の画像をシートスルー読取りしかつ設定枚数の用紙に印刷する（１０４）。
【０１４２】
「黒（ＢＫ）」ボタンがオフのときには、ＣＰＵ１を介して、ユーザ登録テーブルに「利用者認証解除」情報があるかを検索して、該情報がないと、ユーザ名およびＩＤの入力を要求する入力画面をディスプレイ１１に表示する。それらに入力があってテンキーブロツク１５の＃キーが押されると、ＣＰＵ１が、入力があったユーザ名およびＩＤが、ＮＶＲＡＭ４のユーザ登録テーブルに登録されたものであるか検索し、登録されたものであると、そのユーザ情報（図１３のユーザ登録で登録した許可事項）を、ＮＶＲＡＭ４から読み出しＲＡＭ３又はＣＰＵ１の内部ＲＡＭに定めた許可情報レジスタに保持する（１０２ａ，１０２ｂ，１０６〜１０８）。「利用者認証解除」情報があった場合には、ユーザ認証をすることなく、登録テーブルの汎用の操作可能情報を許可情報レジスタに保持する（１０２ａ，１０２ｂ−１０８）。そして、操作ボードに設定されている複写条件を参照する。「フルカラー」ボタンがオンでありしかもフルカラー複写が許可情報レジスタにおいて許可されているときには、ＣＰＵ１がＣＰＵ３０１に複写許可（複写指示）を報知する。これに応答してＣＰＵ３０１は、ＲＧＢ画像データをメモリ４０６に蓄積して（１０８，１０９）、フルカラー印刷（１１０）をする。フルカラー印刷（１１０）では、プリンタ画像処理３０４でＲＧＢ画像データをｙｍｃｋ記録色データに変換し、各記録色データを並行して書込ユニット２１２（図５）に出力する（１１１）。これをコピー設定枚数分繰り返す（１１２−１１３）。原稿トレイ１２１上の各原稿につき、上述のフルカラーコピー作業が同様に行われる。
【０１４３】
「黒（ＢＫ）」，「フルカラー」，「自動色選択」，「青（Ｃ）」，「赤（Ｒ）」および「黄（Ｙ）」ボタンのいずれもオフのとき、又は、「自動色選択」ボタンがオンのときには、ＣＰＵ３０１は、読取りユニット１１０にシートスルー読取りを指示し、像域分離結果に従うフィルタ処理３０７をしたＧ画像データを頁メモリ３０８に格納すると共に、ＲＧＢ画像データをメモリ４０６に蓄積する（１１４）。そして頁判定３１８の判定情報を参照して（１１５）、それが白黒文字画像（白黒＆エッジ）を表わすものであると、「黒（ＢＫ）」ボタンがオンであったときの上述の白黒コピー（１０４，１０５）を同様に実行する。頁判定３１８の判定情報が白黒文字画像ではないと、フルカラー印刷（１１６）を行う。このフルカラー印刷（１１６）の内容は、上述のフルカラー印刷（１１０）の内容と同様である。
【０１４４】
次に図１９を参照する。コピースタート指示があったときにＡＤＦ１２０に原稿がなく、「黒（ＢＫ）」ボタンがオンであると、ＣＰＵ３０１は、読取りユニット１１０にフラットベッド読取りを指示して、白黒コピーを実行する（１１７〜１１９）。「黒（ＢＫ）」ボタンがオフのときには、ＣＰＵ１を介して、ユーザ登録テーブルに「利用者認証解除」情報があるかを検索して、該情報がないと、ユーザ名およびＩＤの入力を要求する入力画面をディスプレイ１１に表示する。それらに入力があってテンキーブロツク１５の＃キーが押されると、ＣＰＵ１が、入力があったユーザ名およびＩＤが、ＮＶＲＡＭ４のユーザ登録テーブルに登録されたものであるか検索し、登録されたものであると、そのユーザ情報（図１３のユーザ登録で登録した許可事項）を、ＮＶＲＡＭ４から読み出しＲＡＭ３又はＣＰＵ１の内部ＲＡＭに定めた許可情報レジスタに保持する（１１７ａ，１１７ｂ，１２０〜１２２）。「利用者認証解除」情報があった場合には、ユーザ認証をすることなく、登録テーブルの汎用の操作可能情報を許可情報レジスタに保持する（１１７ａ，１１７ｂ−１２２）。そして、操作ボードに設定されている複写条件を参照する。「フルカラー」ボタンがオンであった場合には、副カラー複写が許可情報レジスタにおいて許可されていると、ＣＰＵ３０１は、読取りユニット１１０にフラットベッド読取りを指示し、ＲＧＢ画像データをメモリ４０６に蓄積して（１２２，１２３）フルカラー印刷（１２４）を、コピー設定枚数分実行する。フルカラー印刷（１２４）では、プリンタ画像処理３０４でＲＧＢ画像データをｙｍｃｋ記録色データに変換し、各記録色データを並行して書込ユニット２１２（図５）に出力する（１２５）。これをコピー設定枚数分の回数繰り返す（１２６，１２５）。
【０１４５】
「黒（ＢＫ）」，「フルカラー」，「自動色選択」，「青（Ｃ）」，「赤（Ｒ）」および「黄（Ｙ）」ボタンのいずれもオフのとき、又は、「自動色選択」ボタンがオンのときには、ＣＰＵ３０１は、読取りユニット１１０にフラットベッド読取りを指示し、エッジ強調３１１のエッジ検出量を参照する像域分離の結果に従うフィルタ処理３０７をしたＧ画像データを頁メモリ３０８に格納すると共に、ＲＧＢ画像データをメモリ４０６に蓄積する（１２７）。そして頁判定３１８の判定情報を参照して（１２８）、それが白黒文字画像を表わすものであると、「黒（ＢＫ）」ボタンがオンであった場合の上述の白黒コピー（１１９）を同様に行う。頁判定３１８の判定情報が白黒文字画像ではないと、フルカラー印刷（１２９）を行う。このフルカラー印刷（１２９）の内容は、上述のフルカラー印刷（１２４）の内容と同様である。
【０１４６】
図８，図１３および図１５に示す液晶ディスプレイ１１上に示す機能を使用する入出力ならびに図１１に示す「初期設定」ＩＮＧおよび図１４に示す「プリンタの調整」ＩＮＧｐを行う、プリンタ使用アプリケーションプログラム（ソフト）が、パソコンＰＣにインストールされており、ユーザは、ＰＣから、操作ボード１０を使用する場合と同様に、通信装置を介してプリンタ２００に入力を行なって、プリンタ２００を使用し、メンテナンスし、また調整することができる。すなわち、パソコンＰＣは書画情報をプリンタ２００に送ってプリントアウトするばかりでなく、遠隔の操作ボードとしても機能する。
【図面の簡単な説明】
【０１４７】
【図１】本発明の１実施例の複合機能複写機ＭＦ１の機構概要を示す縦断面図である。
【図２】図１に示すカラースキャナ１００およびＡＤＦ１２０の拡大縦断面図である。
【図３】図１に示すＡＤＦ１２０を原稿押え位置（閉）から起立位置（開）にリフトアップした状態の複写機ＭＦ１の外観を示す斜視図である。
【図４】図１に示すキャリッジ２０２およびキャップ２０５の拡大右側面図である。
【図５】図１に示す複写機ＭＦ１内の、画像処理システムの構成を示すブロック図である。
【図６】図５に示す画像信号処理回路（ＡＦＥ）１１１の機能構成を示すブロック図である。
【図７】図５に示すスキャナ画像処理３０３およびプリンタ画像処理３０４の機能構成を示すブロック図である。
【図８】図１に示す複写機ＭＦ１の操作ボード１０上面の一部を示す拡大平面図である。
【図９】操作ボード１０の電子システムの構成を示すブロック図である。
【図１０】図１に示す複合機能複写機ＭＦ１の各部に給電する電源回路８０の構成を示すブロック図である。
【図１１】図５に示すＣＰＵ４０２による、省エネ制御を主体とする制御フローを示すフローチャートである。
【図１２】図１１に示す「ヘッドクリーニング」ＣＬＧ１の内容を示すフローチャートである。
【図１３】図１１に示す「初期設定」ＩＮＧの中の「ユーザ登録」の入力画面を示す操作ボード１０の拡大平面図である。
【図１４】図１１に示す「初期設定」ＩＮＧの中の「プリンタの調整」の入力読み取り処理の概要を示すフローチャートである。
【図１５】「プリンタの調整」の入力画面を示す操作ボード１０の拡大平面図である。
【図１６】図１５に示す「クリーニング」キーおよび「リフレッシング」キーに、「クリーニング」および「リフレッシング」が許可されたユーザのタッチがあり、それらに応答して実行される「クリーニング」ＣＬＧｋおよび「リフレッシング」ＲＥＧｋの内容を示すフローチャートである。
【図１７】図１１に示す「保全処置」ＰＲＳの内容を示すフローチャートである。
【図１８】ユーザが複写条件を入力しスタートキーを押したときに、図５に示すエンジン３００のＣＰＵ３０１が実行する複写制御の一部を示すフローチャートである。
【図１９】前記複写制御の残部を示すフローチャートである。
【符号の説明】
【０１４８】
１０１：コンタクトガラス
１０２：照明ランプ
１０３：第１ミラー  １０４：第２ミラー
１０５：第３ミラー  １０６：レンズ
１０７：ＣＣＤ      １０８：パルスモータ
１０９：基点センサ  ｒｗｐ：基準白板
ｓｃｐ：スケール    １１２：圧板スイッチ
１２１：原稿トレイ  １２５：搬送ドラム
１２６：搬送ベルト  １３０：フィラーセンサ
１３１：サイド板位置検出スイッチ
１３２：ガラス      １３７：圧板
２０１：ガイドバー  ２０２：キャリッジ
２０３：インクジェット記録ヘッド
２０４：インク槽    ２０５：キャップ
２０６：電動ワイピング機構
２０８：レジストローラ
２０９：用紙搬送ライン
２１０：印字ユニット
２１３：排紙トレイ  ２１４：インクカートリッジ
２１５：ポンプ      ２１６，２１７：用紙カセット
【図１】
0004711773.tif 000004
【図２】
0004711773.tif 000005
【図３】
0004711773.tif 000006
【図４】
0004711773.tif 000007
【図５】
0004711773.tif 000008
【図６】
0004711773.tif 000009
【図７】
0004711773.tif 000010
【図８】
0004711773.tif 000011
【図９】
0004711773.tif 000012
【図１０】
0004711773.tif 000013
【図１１】
0004711773.tif 000014
【図１２】
0004711773.tif 000015
【図１３】
0004711773.tif 000016
【図１４】
0004711773.tif 000017
【図１５】
0004711773.tif 000018
【図１６】
0004711773.tif 000019
【図１７】
0004711773.tif 000020
【図１８】
0004711773.tif 000021
【図１９】
0004711773.tif 000022